(57)【要約】【課題】釣り糸の自由な動きを許しかつロッドティップ上で釣り糸の絡まり及び結束を避けるような形の釣竿ティップ及びガイドを与える。【解決手段】釣竿に取り付けられるべきティップ。従来の釣竿はしばしばフィッシングポール上にアイ若しくはローラーエンドで終端されている。本発明の革新は外側が円錐形でテーパー形状であり、その結果もしラインがティップの回りに巻きついても、ラインをほどくにはティップを下側に保持するだけでよく、その結果重力がはがすようにラインをほどいてくれる。内部は中空でありかつフィッシングポールの末端エンドに一致するように成形されている。付加的に、その断面はエンドにアイを有する既存のターミナルガイドより非常に薄い。本発明のティップの特徴は巻きつく際に釣り糸を保持するように作用する盛り上がったアイ及び／またはローラーを除去した点である。【選択図】図１
2004154124.tif 000002
【特許請求の範囲】
【請求項１】
釣竿に取り付けるためのティップであって、
ａ．第１セクション及び第２セクションを有するボディと、
ｂ．前記第１セクションはその基部エンドにおいて内部チャンバに至る横開口部を有し、
横開口部及び内部チャンバは釣竿のエンドが横開口部を通じて挿入されかつチャンバ内に保持されるようなサイズで形成されるところの第１セクションと、
ｃ．前記第１セクションは概して円筒形の外面を有し、外面の上側部分は上側外面の末端エンドが上側外面の基部エンドより高くかつ末端エンドにおいて外壁がより厚いように基部エンドから末端エンドへ上方角度で伸長するところの第１セクションと、
ｄ．第２セクションは第１セクションの末端エンドから伸長し、第２セクションは、第１セクションの末端エンド付近に窪み及び第２セクションの残りの長さを伸長し末端ティップ開口部で終わる内部チャネルに至る入口を有する上側面を有し、内部チャネルはティップ開口部付近の位置でフレアする内壁を有するところの第２セクションと、
ｅ．前記第２セクションの外面は概して円錐形であり、その基部エンドは前記第１セクションの末端エンドとほぼ同じ直径を有し、第２セクションの末端ティップはその基部エンドより小さいサイズを有するところの第２セクションと、
から成り、
ｆ．前記ティップが釣竿に取り付けられたとき、釣竿からの釣り糸は前記第１セクションの上側外面に沿って伸び、前記窪みを過ぎて、前記第２セクションの上側面の入口内に進入し、前記第２セクションの内部チャネルを通って末端ティップから出る、ところのティップ。
【請求項２】
請求項１に記載の釣竿に取り付けるためのティップであって、前記第２セクションの前記内部チャネルの断面形状は概して円形である、ところのティップ。
【請求項３】
請求項１に記載の釣竿に取り付けるためのティップであって、前記第２セクションの前記内部チャネルの断面形状は概して長円である、ところのティップ。
【請求項４】
請求項１に記載の釣竿に取り付けるためのティップであって、前記第２セクションの末端ティップの直径は第２セクションの基部エンドの直径の５０パーセントから２０パーセントである、ところのティップ。
【請求項５】
請求項１に記載の釣竿に取り付けるためのティップであって、第２セクションの末端ティップでのチャネルの開口部の直径は入口に隣接するチャネルの直径より１２５パーセントから１５０パーセント大きい、ところのティップ。
【請求項６】
請求項１に記載の釣竿に取り付けるためのティップであって、前記第２セクションの内部チャネルの内壁はチャネル内部で釣り糸の摩擦を減少させるための材料で被覆されている、ところのティップ
【請求項７】
請求項１に記載の釣竿に取り付けるためのティップであって、前記第１セクションの上側外面の末端エンドの外壁は、第１セクションの上側外面の基部エンドの外壁より１／１０インチから１／１３インチだけ高くかつ厚い、ところのティップ。
【請求項８】
請求項１に記載の釣竿に取り付けるためのティップであって、第１セクションの内部チャンバは、第１セクションの基部エンドの開口部から遠く離れた位置において概して円錐形である、ところのティップ。
【請求項９】
請求項１に記載の釣竿に取り付けるためのティップであって、前記ティップは金属から作られている、ところのティップ。
【請求項１０】
請求項１に記載の釣竿に取り付けるためのティップであって、前記ティップはプラスチックから作られている、ところのティップ。
【請求項１１】
請求項１に記載の釣竿に取り付けるためのティップであって、前記第１セクションの前記内部チャンバは釣竿がティップ内にさらに進入するのを防止するための横壁で終端する、ところのティップ。
【請求項１２】
請求項１に記載の釣竿に取り付けるためのティップであって、前記ティップは接着剤手段によって前記第１セクションの前記内部チャンバ内に保持される、ところのティップ。
【請求項１３】
請求項１に記載の釣竿に取り付けるためのティップであって、さらに第１セクションへ取り付けられかつ横開口部から伸長する少なくともひとつのフランジから成り、当該少なくともひとつのフランジは釣竿へのティップの取り付けを容易にする、ところのティップ。
【請求項１４】
請求項１３に記載の釣竿に取り付けるためのティップであって、前記少なくともひとつのフランジは内面及び外面を有し、さらに外面上に溝を有する、ところのティップ。
【請求項１５】
請求項１４に記載の釣竿に取り付けるためのティップであって、前記ティップは、前記少なくともひとつのフランジの外面の回り及び前記釣竿の回りに巻きつけられたラッピング手段によって前記釣竿に保持される、ところのティップ。
【請求項１６】
釣竿に取り付けるためのティップであって、
ａ．第１セクション及び第２セクションを有するボディと、
ｂ．前記第１セクションはその基部エンドにおいて内部チャンバに至る横開口部を有し、
横開口部及び内部チャンバは釣竿のエンドが横開口部を通じて挿入されかつチャンバ内に保持されるようなサイズで形成されるところの第１セクションと、
ｃ．前記第１セクションは基部エンドから末端エンドに向かって概して円筒形の外面を有し、
ｄ．第２セクションは第１セクションの末端エンドから伸長し、第２セクションは第２セクションの残りの長さを伸長しかつ末端ティップ開口部で終わる内部チャネルに至る入口を有する上側面を有し、内部チャネルはティップ開口部付近の位置でフレアする内壁を有するところの第２セクションと、
ｅ．前記第２セクションの外面は概して円錐形であり、第２セクションの末端ティップはその基部エンドより小さいサイズを有するところの第２セクションと、
から成り、
ｆ．前記ティップが釣竿に取り付けられたとき、釣竿からの釣り糸は前記第１セクションの上側外面に沿って伸び、前記第２セクションの上側面の入口内に進入し、前記第２セクションの内部チャネルを通って末端ティップから出る、ところティップ。
【請求項１７】
釣竿に取り付けるためのティップであって、
ａ．第１セクション及び第２セクションを有するボディと、
ｂ．前記第１セクションはその基部エンドにおいて内部チャンバに至る横開口部を有し、横開口部及び内部チャンバは釣竿のエンドが横開口部を通じて挿入されかつチャンバ内に保持されるようなサイズで形成されるところの第１セクションと、
ｃ．第２セクションは第１セクションの末端エンドから伸長し、上側面を有し、
ｄ．前記第１セクション及び前記第２セクションは前記ティップの上側面を形成する隣接する上側外面を有し、
ｅ．前記ティップの上側面は前記第２セクションを通じて入口から伸長し末端ティップ開口部で終わる内部チャネルへ至る入口を有し、
ｆ．前記第２セクションの外面は概して円錐形であり、第２セクションの末端ティップはその基部エンドより小さいサイズを有するところの第２セクションと、
から成り、
ｇ．前記ティップが釣竿に取り付けられたとき、釣竿からの釣り糸は前記ティップの上側外面に沿って伸び、入口内に進入し、前記第２セクションの内部チャネルを通って末端ティップから出る、ところティップ。
【請求項１８】
釣竿に取り付けるためのティップであって、
ａ．第１セクション及び第２セクションを有するボディと、
ｂ．前記第１セクションはその基部エンドにおいて内部チャンバに至る横開口部を有し、横開口部及び内部チャンバは釣竿のエンドが横開口部を通じて挿入されかつチャンバ内に保持されるようなサイズで形成されるところの第１セクションと、
ｃ．前記第１セクションは概して円筒形の外面を有し、外面の上側部分は、上側外面の末端エンドが上側外面の基部エンドより高くかつ外壁が末端エンドでより厚くなるように基部エンドから末端エンドへ上方角度で伸長し、
ｄ．第２セクションは弧を描きながら第１セクションの末端エンドから下方アーク角度で伸長し、第２セクションは、第１セクションの末端エンド付近に窪み及び第２セクションの残りの長さを伸長し末端ティップ開口部で終わる弧状の内部チャネルに至る入口を有する上側面を有し、弧状の内部チャネルはティップ開口部付近の位置でフレアする弧状内壁を有し、
ｅ．前記第２セクションの外面は概して円錐形で、基部エンドは第１セクションの末端エンドとほぼ同じ直径であり、第２セクションの末端ティップはその基部エンドよりも小さいサイズを有するところの第２セクションと、
から成り、
ｆ．前記ティップが釣竿に取り付けられたとき、釣竿からの釣り糸は前記第１セクションの上側外面に沿って伸び、前記窪みを過ぎて、前記第２セクションの上側面の入口内に進入し、前記第２セクションの内部チャネルを通って末端ティップから出る、ところティップ。
【請求項１９】
請求項１８に記載の釣竿に取り付けるためのティップであって、前記第２セクションの前記下方アーク角度は５度と４５度との間である、ところのティップ。
【請求項２０】
請求項１８に記載の釣竿に取り付けるためのティップであって、前記第２セクションの前記内部チャネルの断面形状は概して円形である、ところのティップ。
【請求項２１】
請求項１８に記載の釣竿に取り付けるためのティップであって、前記第２セクションの前記内部チャネルの断面形状は概して長円である、ところのティップ。
【請求項２２】
請求項１８に記載の釣竿に取り付けるためのティップであって、前記第２セクションの末端ティップの直径は第２セクションの基部エンドの直径の５０パーセントから２０パーセントである、ところのティップ。
【請求項２３】
請求項１８に記載の釣竿に取り付けるためのティップであって、第２セクションの末端ティップでのチャネルの開口部の直径は入口に隣接するチャネルの直径より１２５パーセントから１５０パーセント大きい、ところのティップ。
【請求項２４】
請求項１８に記載の釣竿に取り付けるためのティップであって、前記第２セクションの内部チャネルの内壁はチャネル内部で釣り糸の摩擦を減少させるための材料で被覆されている、ところのティップ
【請求項２５】
請求項１８に記載の釣竿に取り付けるためのティップであって、前記第１セクションの上側外面の末端エンドの外壁は、第１セクションの上側外面の基部エンドの外壁より１／１０インチから１／１３インチだけ高くかつ厚い、ところのティップ。
【請求項２６】
請求項１８に記載の釣竿に取り付けるためのティップであって、第１セクションの内部チャンバは、第１セクションの基部エンドの開口部から遠く離れた位置において概して円錐形である、ところのティップ。
【請求項２７】
請求項１８に記載の釣竿に取り付けるためのティップであって、前記ティップは金属から作られている、ところのティップ。
【請求項２８】
請求項１８に記載の釣竿に取り付けるためのティップであって、前記ティップはプラスチックから作られている、ところのティップ。
【請求項２９】
請求項１８に記載の釣竿に取り付けるためのティップであって、前記第１セクションの前記内部チャンバは釣竿がティップ内にさらに進入するのを防止するための横壁で終端する、ところのティップ。
【請求項３０】
請求項１８に記載の釣竿に取り付けるためのティップであって、前記ティップは接着剤手段によって前記第１セクションの前記内部チャンバ内に保持される、ところのティップ。
【請求項３１】
請求項１８に記載の釣竿に取り付けるためのティップであって、さらに第１セクションへ取り付けられかつ横開口部から伸長する少なくともひとつのフランジから成り、当該少なくともひとつのフランジは釣竿へのティップの取り付けを容易にする、ところのティップ。
【請求項３２】
請求項３１に記載の釣竿に取り付けるためのティップであって、前記少なくともひとつのフランジは内面及び外面を有し、さらに外面上に溝を有する、ところのティップ。
【請求項３３】
請求項３２に記載の釣竿に取り付けるためのティップであって、前記ティップは、前記少なくともひとつのフランジの外面の回り及び前記釣竿の回りに巻きつけられたラッピング手段によって前記釣竿に保持される、ところのティップ。
【請求項３４】
釣竿に取り付けるためのティップであって、
ａ．第１セクション及び第２セクションを有するボディと、
ｂ．前記第１セクションはその基部エンドにおいて内部チャンバに至る横開口部を有し、横開口部及び内部チャンバは釣竿のエンドが横開口部を通じて挿入されかつチャンバ内に保持されるようなサイズで形成されるところの第１セクションと、
ｃ．前記第１セクションは基部エンドから末端エンドに向かって概して円筒形の外面を有し、
ｄ．第２セクションは第１セクションの末端エンドから下方アーク角度で伸長し、第２セクションは第２セクションの残りの長さを伸長しかつ末端ティップ開口部で終わる弧状内部チャネルに至る入口を有する上側面を有し、弧状内部チャネルはティップ開口部付近の位置でフレアする内壁を有するところの第２セクションと、
ｅ．前記第２セクションの外面は概して円錐かつ弧状形状であり、第２セクションの末端ティップはその基部エンドより小さいサイズを有し基部エンド下に伸長するところの第２セクションと、
から成り、
ｆ．前記ティップが釣竿に取り付けられたとき、釣竿からの釣り糸は前記第１セクションの上側外面に沿って伸び、前記第２セクションの上側面の入口内に進入し、前記第２セクションの内部チャネルを通って末端ティップから出る、ところティップ。
【請求項３５】
釣竿に取り付けるためのティップであって、
ａ．第１セクション及び第２セクションを有するボディと、
ｂ．前記第１セクションはその基部エンドにおいて内部チャンバに至る横開口部を有し、横開口部及び内部チャンバは釣竿のエンドが横開口部を通じて挿入されかつチャンバ内に保持されるようなサイズで形成されるところの第１セクションと、
ｃ．第２セクションは弧を描いて第１セクションの末端エンドから下方アーク角度で伸長し、上側面を有し、
ｄ．前記第１セクション及び前記第２セクションは前記ティップの上側面を形成する隣接する上側外面を有し、
ｅ．前記ティップの上側面は前記第２セクションを通じて入口から伸長し末端ティップ開口部で終わる内部チャネルへ至る入口を有し、
ｆ．前記第２セクションの外面は概して円錐形であり、第２セクションの末端ティップはその基部エンドより小さいサイズを有するところの第２セクションと、
から成り、
ｇ．前記ティップが釣竿に取り付けられたとき、釣竿からの釣り糸は前記ティップの上側外面に沿って伸び、入口内に進入し、前記第２セクションの内部チャネルを通って末端ティップから出る、ところティップ。
【請求項３６】
釣竿に取り付けるためのティップであって、
ａ．第１セクション及び第２セクションを有するボディと、
ｂ．前記第１セクションはその基部エンドにおいて内部チャンバに至る横開口部を有し、横開口部及び内部チャンバは釣竿のエンドが横開口部を通じて挿入されかつチャンバ内に保持されるようなサイズで形成されるところの第１セクションと、
ｃ．前記第１セクションは概して円筒形の外面を有し、外面の上側部分は、上側外面の末端エンドが上側外面の基部エンドより高くかつ外壁が末端エンドでより厚くなるように基部エンドから末端エンドへ上方角度で伸長し、
ｄ．第２セクションは第１セクションの末端エンドから伸長し、第２セクションは、第１セクションの末端エンド付近に窪み及び第２セクションの残りの長さを伸長し末端ティップ開口部で終わる内部チャネルに至る入口を有する上側面を有し、
ｅ．前記第２セクションの外面は概して円錐形かつ弧状形状をなし、基部エンドは第１セクションの末端エンドとほぼ同じ直径であり、第２セクションの末端ティップはその基部エンドよりも小さいサイズを有し、基部エンドから下に伸長するところの第２セクションと、
から成り、
ｆ．前記ティップが釣竿に取り付けられたとき、釣竿からの釣り糸は前記第１セクションの上側外面に沿って伸び、前記窪みを過ぎて、前記第２セクションの上側面の入口内に進入し、前記第２セクションの内部チャネルを通って末端ティップから出る、ところティップ。
【請求項３７】
請求項３６に記載の釣竿に取り付けるためのティップであって、前記第２セクションの前記内部チャネルの断面形状は概して円形である、ところのティップ。
【請求項３８】
請求項３６に記載の釣竿に取り付けるためのティップであって、前記第２セクションの前記内部チャネルの断面形状は概して長円である、ところのティップ。
【請求項３９】
請求項３６に記載の釣竿に取り付けるためのティップであって、前記第２セクションの末端ティップの直径は第２セクションの基部エンドの直径の５０パーセントから２０パーセントである、ところのティップ。
【請求項４０】
請求項３６に記載の釣竿に取り付けるためのティップであって、第２セクションの末端ティップでのチャネルの開口部の直径は入口に隣接するチャネルの直径より１２５パーセントから１５０パーセント大きい、ところのティップ。
【請求項４１】
請求項３６に記載の釣竿に取り付けるためのティップであって、前記第２セクションの内部チャネルの内壁はチャネル内部で釣り糸の摩擦を減少させるための材料で被覆されている、ところのティップ。
【請求項４２】
請求項３６に記載の釣竿に取り付けるためのティップであって、前記第１セクションの上側外面の末端エンドの外壁は、第１セクションの上側外面の基部エンドの外壁より１／１０インチから１／１３インチだけ高くかつ厚い、ところのティップ。
【請求項４３】
請求項３６に記載の釣竿に取り付けるためのティップであって、第１セクションの内部チャンバは、第１セクションの基部エンドの開口部から遠く離れた位置において概して円錐形である、ところのティップ。
【請求項４４】
請求項３６に記載の釣竿に取り付けるためのティップであって、前記ティップは金属から作られている、ところのティップ。
【請求項４５】
請求項３６に記載の釣竿に取り付けるためのティップであって、前記ティップはプラスチックから作られている、ところのティップ。
【請求項４６】
請求項３６に記載の釣竿に取り付けるためのティップであって、前記ティップは接着剤手段によって前記第１セクションの前記内部チャンバ内に保持される、ところのティップ。
【請求項４７】
釣竿に取り付けるためのティップであって、
ａ．第１セクション及び第２セクションを有するボディと、
ｂ．前記第１セクションはその基部エンドにおいて内部チャンバに至る横開口部を有し、横開口部及び内部チャンバは釣竿のエンドが横開口部を通じて挿入されかつチャンバ内に保持されるようなサイズで形成されるところの第１セクションと、
ｃ．前記第１セクションは基部エンドから末端エンドに向かって概して円筒形の外面を有し、
ｄ．第２セクションは第１セクションの末端エンドから伸長し、第２セクションは第２セクションの残りの長さを伸長しかつ末端ティップ開口部で終わる内部チャネルに至る入口を有する上側面を有し、
ｅ．前記第２セクションの外面は概して円錐形であり、第２セクションの末端ティップはその基部エンドより小さいサイズを有するところの第２セクションと、
から成り、
ｆ．前記ティップが釣竿に取り付けられたとき、釣竿からの釣り糸は前記第１セクションの上側外面に沿って伸び、前記第２セクションの上側面の入口内に進入し、前記第２セクションの内部チャネルを通って末端ティップから出る、ところティップ。
【請求項４８】
釣竿に取り付けるためのティップであって、
ａ．第１セクション及び第２セクションを有するボディと、
ｂ．前記第１セクションはその基部エンドにおいて内部チャンバに至る横開口部を有し、横開口部及び内部チャンバは釣竿のエンドが横開口部を通じて挿入されかつチャンバ内に保持されるようなサイズで形成されるところの第１セクションと、
ｃ．第２セクションは第１セクションの末端エンドから伸長し、上側面を有し、
ｄ．前記第１セクション及び前記第２セクションは前記ティップの上側面を形成する隣接する上側外面を有し、
ｅ．前記ティップの上側面は前記第２セクションを通じて入口から伸長し末端ティップ開口部で終わる内部チャネルへ至る入口を有し、
ｆ．第２セクションの末端ティップはその基部エンドより小さいサイズを有するところの第２セクションと、
から成り、
ｇ．前記ティップが釣竿に取り付けられたとき、釣竿からの釣り糸は前記ティップの上側外面に沿って伸び、入口内に進入し、前記第２セクションの内部チャンバを通って末端ティップから出る、ところティップ。
【請求項４９】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．前記第１セクションは概して円筒形の外面を有し、上側外面の末端エンドが上側外面の基部エンドより高くかつ外壁が末端エンドにおいてより厚くなるように外面の上側部分はその基部エンドからその末端エンドへ上方角度で伸長し、
ｆ．第２セクションは第１セクションの末端エンドから伸長し、第２セクションは第１セクションの末端エンド付近の窪み及び第２セクションの残りの長さを伸長しかつ末端ティップ開口部で終わる内部チャネルに至る入口を有する上側面を有し、内部チャネルはティップ開口部付近の位置でフレアする内壁を有し、
ｇ．前記第２セクションの外面は概して円錐形状であり、その基部エンドは前記第１セクションの末端エンドとほぼ同じ直径であり、第２セクションの末端ティップはその基部エンドより小さいサイズを有する、ところの第２セクションと、
から成り、
ｈ．前記ティップが釣竿に取り付けられたとき、釣竿からの釣り糸は前記第１セクションの上側外面に沿って伸び、前記窪みを過ぎて、前記第２セクションの上側面内の入口内に進入し、前記第２セクションの内部チャネルを通って末端ティップから出る、ところティップ。
【請求項５０】
釣竿に取り付けるためのティップであって、
ａ．基部エンドにおいて内部チャンバに至る横開口部を有するベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．前記第１セクションは基部エンドから末端エンドへ概して円筒形の外面を有し、
ｆ．第２セクションは第１セクションの末端エンドから伸長し、第２セクションは第２セクションの残りの長さを伸長しかつ末端ティップ開口部で終わる内部チャネルに至る入口を有する上側面を有し、内部チャネルはティップ開口部付近の位置でフレアする内壁を有し、
ｇ．前記第２セクションの外面は概して円錐形状であり、第２セクションの末端ティップはその基部エンドより小さいサイズを有する、ところの第２セクションと、
から成り、
ｈ．前記ティップが釣竿に取り付けられたとき、釣竿からの釣り糸は前記第１セクションの上側外面に沿って伸び、前記第２セクションの上側面内の入口内に進入し、前記第２セクションの内部チャネルを通って末端ティップから出る、ところティップ。
【請求項５１】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．第２セクションは第１セクションの末端エンドから伸長し、第２セクションは上側面を有し、
ｆ．前記第１セクション及び前記第２セクションは前記ティップの上側面を形成する隣接する上側外面を有し、
ｇ．前記ティップの上側面は前記第２セクションを通って入口開口部から伸び、末端ティップ開口部で終わる内部チャネルに至る入口を有し、
ｈ．前記第２セクションの外面は概して円錐形状であり、第２セクションの末端ティップはその基部エンドより小さいサイズを有する、ところの第２セクションと、
から成り、
ｉ．前記ティップが釣竿に取り付けられたとき、釣竿からの釣り糸は前記ティップの上側外面に沿って伸び、入口内に進入し、前記第２セクションの内部チャネルを通って末端ティップから出る、ところティップ。
【請求項５２】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．前記第１セクションは概して円筒形の外面を有し、上側外面の末端エンドが上側外面の基部エンドより高くかつ外壁が末端エンドにおいてより厚くなるように外面の上側部分は上方角度でその基部エンドから末端エンドへ伸長し、
ｆ．第２セクションは弧を描きながら第１セクションの末端エンドから伸長し、第２セクションは、第１セクションの末端エンド付近の窪み及び第２セクションの残りの長さを伸長しかつ末端ティップ開口部で終わる弧状内部チャネルに至る入口を有する上側面を有し、弧状内部チャネルはティップ開口部付近でフレアする弧状内壁を有し、
ｇ．前記第２セクションの外面は概して円錐形かつ弧状形状であり、その基部エンドは前記第１セクションの末端エンドとほぼ同じ直径を有し、第２セクションの末端ティップはその基部エンドより小さいサイズを有しかつ基部エンドの下に伸長する、ところの第２セクションと、
から成り、
ｈ．前記ティップが釣竿に取り付けられたとき、釣竿からの釣り糸は前記第１セクションの上側外面に沿って伸び、前記窪みを過ぎ、前記第２セクションの上側面内の入口内に進入し、前記第２セクションの内部チャネルを通って末端ティップから出る、ところティップ。
【請求項５３】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．前記第１セクションはその基部エンドからその末端エンドへ概して円筒形の外面を有し、
ｆ．第２セクションは弧を描きながら第１セクションの末端エンドから伸長し、第２セクションは、第２セクションの残りの長さを伸長しかつ末端ティップ開口部で終わる弧状内部チャネルに至る入口を有する上側面を有し、弧状内部チャネルはティップ開口部付近でフレアする内壁を有し、
ｇ．前記第２セクションの外面は概して円錐形かつ弧状形状であり、第２セクションの末端ティップはその基部エンドより小さいサイズを有しかつ基部エンドの下に伸長する、ところの第２セクションと、
から成り、
ｈ．前記ティップが釣竿に取り付けられたとき、釣竿からの釣り糸は前記第１セクションの上側外面に沿って伸び、前記第２セクションの上側面内の入口内に進入し、前記第２セクションの内部チャネルを通って末端ティップから出る、ところティップ。
【請求項５４】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．第２セクションは第１セクションの末端エンドから伸長し、第２セクションは上側面を有し、
ｆ．前記第１セクション及び前記第２セクションは前記ティップの上側面を形成する隣接する上側外面を有し、
ｇ．前記ティップの上側面は前記第２セクションを通って入口開口部から伸び、末端ティップ開口部で終わる内部チャネルに至る入口を有し、
ｈ．前記第２セクションの外面は概して円錐形かつ弧状形状であり、第２セクションの末端ティップはその基部エンドより小さいサイズを有し、基部エンドの下へ伸長する、ところの第２セクションと、
から成り、
ｉ．前記ティップが釣竿に取り付けられたとき、釣竿からの釣り糸は前記ティップの上側外面に沿って伸び、入口内に進入し、前記第２セクションの内部チャネルを通って末端ティップから出る、ところティップ。
【請求項５５】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．前記第１セクションは概して円筒形の外面を有し、上側外面の末端エンドが上側外面の基部エンドより高くかつ外壁が末端エンドにおいてより厚くなるように外面の上側部分が上方角度でその基部エンドからその末端エンドへ伸長し、
ｆ．第２セクションは第１セクションの基部エンドから伸長し、第２セクションは、第１セクションの末端エンドに近接する窪み及び第２セクションの残りの長さを伸長しかつ末端ティップ開口部で終わる内部チャンバへ至る入口を有する上側面を有し、
ｇ．前記第２セクションの外面は概して円錐形であり、その基部エンドは前記第１セクションの末端エンドとほぼ同じ直径を有し、第２セクションの末端ティップはその基部エンドより小さいサイズを有する、ところの第２セクションと、
から成り、
ｈ．前記ティップが釣竿に取り付けられたとき、釣竿からの釣り糸は前記第１セクションの上側外面に沿って伸び、前記窪みを過ぎて、前記第２セクションの上側面内の入口内に進入し、前記第２セクションの内部チャネルを通って末端ティップから出る、ところティップ。
【請求項５６】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．前記第１セクションはその基部エンドからその末端エンドへ概して円筒形の外面を有し、
ｆ．第２セクションは第１セクションの基部エンドから伸長し、第２セクションは第２セクションの残りの長さを伸長しかつ末端ティップ開口部で終わる内部チャンバへ至る入口を有する上側面を有し、
ｇ．前記第２セクションの外面は概して円錐形であり、第２セクションの末端ティップはその基部エンドより小さいサイズを有する、ところの第２セクションと、
から成り、
ｈ．前記ティップが釣竿に取り付けられたとき、釣竿からの釣り糸は前記第１セクションの上側外面に沿って伸び、前記第２セクションの上側面内の入口内に進入し、前記第２セクションの内部チャネルを通って末端ティップから出る、ところティップ。
【請求項５７】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．第１セクション及び第２セクションを有するティップ部材と、
ｄ．前記第１セクションは基部エンドにおいて内部チャンバに至る横開口部を有し、基部エンド付近の内部チャンバの壁は前記ベース部材上のねじ山を収容しかつ受設するためのねじ山を有し、その結果第１セクションは前記ベース部材上に除去可能にネジ止めされるところの第１セクションと、
ｅ．第２セクションは第１セクションの末端エンドから伸長し、第２セクションは上側面を有し、
ｆ．前記第１セクション及び前記第２セクションは前記ティップの上側面を形成する隣接する上側外面を有し、
ｇ．前記ティップの上側面は前記第２セクションを通じて入口から伸びかつ末端ティップ開口部で終わる内部チャネルに至る入口を有し、
ｈ．第２セクションの末端ティップはその基部エンドより小さいサイズを有し、基部エンドの下に伸長する、ところの第２セクションと、
から成り、
ｉ．前記ティップが釣竿に取り付けられたとき、釣竿からの釣り糸は前記ティップの上側外面に沿って伸び、入口内に進入し、前記第２セクションの内部チャネルを通って末端ティップから出る、ところティップ。
【請求項５８】
釣竿に取り付けるためのティップであって、
ａ．基部エンドにおいて内部チャンバに至る横開口部を有するベース部材であって、横開口部及び内部チャンバは釣竿のエンドが横開口部を通じて挿入されかつ内部チャンバ内に保持されるようなサイズで形成されるところのベース部材と、
ｂ．ベース部材は外面を有し、その末端エンド付近の外面上にねじ山を有し、
ｃ．前記ベース部材上のねじ山にネジ止めされる、基部エンド付近のねじ山を有するローラーガイド部材と、
から成るティップ。
【発明の詳細な説明】
【技術分野】
【０００１】
本発明は、釣竿の改良に関する。特に、本発明は釣竿のティップの大きな改良に関する。本発明は釣竿に関し、特に釣り糸が絡むことを防止し、キャスティング性能を改良する釣竿のアタッチメントに関する。
【背景技術】
【０００２】
特にキャスティング若しくはリーリングなどの釣竿を使用する際の共通の問題は、釣り糸が釣竿のエンドガイドに絡み、引っかかり若しくは巻き付くことである。異なるブランド及び異なるタイプの釣り糸は巻き付きを生じさせる異なる品質のコイル傾向及び／または柔軟性を有する。この問題は特に、釣り人がよく見えない夜間の釣りにおいて遭遇する。また、これは、多くの釣り糸が半透明であるか、見づらい薄い色であるという事実によって倍加する。さらに、釣竿を扱うのが不慣れな子供はしばしば絡む問題に遭遇する。特に、巻き付きの問題は、ボートが波の動きで揺れたり、ラインがポールの端部で揺れを生じさせながらスムースに下ることなく重りによって急速に引き出されるときなどに、細くより繊細なロッドが揺れたり若しくは振動する際に深刻である。フィッシングポールのアイ若しくはフィッシングポールのローラーガイドの回りに巻き付くラインに関する問題は、現在の釣竿の特性が、ラインが巻き付いたときそれが結び目となってキャスト若しくはリトリーブできなくなるというのが原因である。ラインがティップで巻き付くようにポールのティップを振動させながら引かれたルアーが水面上でバウンドするときに振動するポールをトローリングする際に問題が生じる。ポールホルダー内に置かれた時ポールが回転するという問題があり、その結果回転するポールからのラインはある角度でティップを離れ、ラインが巻き付きやすくなり及び／またはポールの回転が巻き付きを生じさせる。ポールがポールホルダー内に回転できないように固定され、ボートがきつく曲がるとき、回転できないポールからのラインは巻き付きを起こしながら好ましからぬ角度で離れていくという問題がある。
【０００３】
従来のティップは、多くの従来品がそれによってラインが巻き付くことができる手段を与えるようフレアされたティップを有するため、ティップの回りにラインが巻き付くのを防止するための有効な手段を与えなかったという点で、重大な不利益を有する。さらに、ロッドからラインが容易にキャストされ、その結果キャスティングも改良されるような効果的な手段は従来技術には開示されていない。したがって、ティップの周りにラインが巻き付く可能性を実質的に減少させかつキャスティング性能を向上させる釣り糸用のティップを与えることが強く要求される。
【考案の開示】
【発明が解決しようとする課題】
【０００４】
本発明の目的は、釣り糸の自由な動きを許しかつロッドティップ上で釣り糸の絡まり及び結束を避けるような形の釣竿ティップ及びガイドを与えることである。本発明の他の目的は、ティップ上でのラインの絡まり若しくは巻き付きの危険性を最小化してラインをガイドするのに効果的で、釣竿に取り付けられかつ壊れない方法で設計されたラインガイドを与えることである。
【０００５】
本発明の他の目的は、従来の開示されたいずれのガイドより直径が細く、製造が安価で、摩擦が最小限で、放熱を最大限にする改良された方法でポールの先端に釣り糸をガイドするのに有効なガイドを与えることである。またこのガイドは、通常の非溶接アイ用のブレースが壊されるか、及び／または絡まったときアイ自身が脱離するような場合に、偶然壊れる及び／または脱離することは非常に困難である。実際、掴まれたりトラップされると通常のアイはポールのファイバーグラス製ティップにトルクによる脱離を生じさせる。盛り上がったアイ若しくはブレースは存在せず、このティップによって掴むか若しくはトラップするような突起、フレア若しくはバルブも存在しないので、これらのアイにはこのようなことは起こらない。他で説明されるように、これらのポールは従来のあらゆるものより非常に簡単に狭いロッカー内に保管できる。このティップは通常のアイで非常にうるさくしばしば生じるのをほとんど完全に防止する。これは、ラインがほんの少しだけ巻き取られ、細くて通常のアイ内部にフィットする針、さる環若しくは重り等がアイに掴まるときに発生する。言い換えれば、もしラインを巻き取った結果針が部分的にアイ内に引き込まれると、該針はアイ及び／またはブレースに引っ掛かり、ほどくためにポールのティップを腕の長さまで持ってくる必要がある。これらのティップガイド内の狭いチャネル毎に、もし全く不可能でなければ、これがほとんどである。
【０００６】
本発明の他の目的は、ロッドの長さ方向に沿って運ばれるライン用の先端及びティップガイドから成る釣竿用のティップを与えることであり、そのティップはロッドティップにラインが絡まるか若しくは巻き付く可能性をある程度まで減少するよう設計され、またキャスティング若しくはラインの巻き取り中により効果的な性能を与える。
【０００７】
本発明の目的は、ロッド及びリールの通常の使用中にティップを通じたラインのスムースな引き出し若しくは巻き取りを容易にすると同時に、ライン絡みの可能性を排除するか若しくは少なくともある程度減少させることによって、従来のティップの欠陥を除去するように設計された改良型ロッドティップを与えることである。
【０００８】
本発明の他の目的は、ラインがティップ付近のロッドの周りに巻き付いたとき、ロッドの長さ方向に沿った方向へラインを単純に引っ張ることによってラインが簡単にはずれるかほどけるように成形された釣り糸ティップを与えることであり、ティップはラインがユーザーによって引っ張られるか若しくはラインが重力またはキャストされた時に離れるラインの遠心力によってティップから取り除かれるようにライン先端を下方位置に保持することによってロッドティップを滑り落ちるように成形されている。
【０００９】
本発明の他の目的は、ラインを出したり巻き取ったりするような通常の釣り動作の間でより効率的な性能をもたらす釣竿用のティップを与えることである。
【００１０】
本発明の他の目的は、軽量の非腐食性材料から低コストで製造可能なように設計され、困難を最小にして他の従来の釣竿でも実施可能な釣竿用のティップを与えることである。これらのティップは通常のアイにおけるブレースに対するような溶接は不要である。それらは束ねることができるホイールのような移動部品及び／またはローラーガイドティップ上に止まるネジを有しない。
【００１１】
本発明の他の目的は、ロッドそれ自身に取り付けるオリジナル部品として作成されるか、または釣竿の先端アイを除去しそれを本発明のティップと置き換えることによって、アフターマーケット製品として既存の釣竿上に取り付けることも可能な釣竿用のティップを与えることである。
【００１２】
本発明の他の目的は、ラインがティップに入るのに通過する開口部はわずかに隆起し、その後ティップ内の開口部はラインがキャスティング中に引き出されている間及び魚が掛かった後に巻き取られている間の両方でラインがティップ内をスムースに移動できるように広げられているように設計された釣竿用のティップを与えることである。
【００１３】
本発明の他の目的は、淡水魚釣り及び深海魚釣り用の異なるサイズの釣竿に適応する多数のサイズ及び形状のティップを与えることである。
【００１４】
本発明の付加的な目的は、釣り人が異なるティップのセットを有し、ひとつのティップを簡単に回して抜くか若しくはねじを巻いて抜くことができ、第２のティップをロッド上に単純にネジ止めすることによって交換できるような釣竿用のティップの交換を容易にする手段を与えることである。
【課題を解決するための手段】
【００１５】
本発明は、釣竿に取り付けられるべきティップである。従来の釣竿はしばしばフィッシングポールのアイ若しくはローラーエンドで終端している。ポール上のエンドアタッチメントに対するより適切な用語はアイよりターミナルガイドである。最近のフィッシングポールで使用されているターミナルガイドには、アイ（ブレースがあるもの、無いもの）及びローラーガイド若しくはホイールの２つの基本的な形状が存在する。しかし、それらはフィッシングポールのさまざまなサイズ及び形状に合致するようにいくつかのサイズで作られるが、それらは６４分の１インチ標準に従い、第４番は４／６４インチ中空である。西部ではサイズは概して、３、４、５、５・１／２、６、６・１／２、７、７・１／２、８，９、１０、１２、１４、１６から３０までになる。別の製造者は異なる確度の公差を有する。本発明の革新キーは、外側が円錐（テーパー状）であるためもしラインがティップの周りに巻き付いたとしても、ラインをほどくのに必要なことは、キャストの際遠心力によってそれがはがれるように重力がラインをほどくようティップを下方に保持することだけである。内部は中空であり、フィッシングポールの末端に合致するように成形される。付加的に、それらは端部にアイを有する既存のすべてのターミナルガイドより非常に小さい断面を有する。それは巻き付きのホルダーとして作用する通常のティップ上のアイ（及びそのブレース）である。本発明のティップを特別にするもののひとつは、巻き付く際に釣り糸を保持するようバンプ若しくは突起として作用する通常のポール上の盛り上がったアイ及び／またはローラーを除去したことである。巻き付かないようにするかもし手動で巻き付いたらラインをほどくのを容易にする本発明の革新的特徴は、以下の通りである。
【００１６】
（１）キャッチするラインに対して突起若しくはアイが存在しないため、巻き付かない。
【００１７】
（２）もし巻き付いたら（若しくは、手動で巻かれたら）、ロッドを下方に向け保持することによって重力によってはがれるか若しくはほぐれる。
【００１８】
（３）もし巻き付いたら（若しくは、手動で巻かれたら）、ラインがオーバーヘッドでキャストされるかサイドキャストされるとき、ポールを離れるラインの引力による求心−遠心力によりはがれるか若しくはほぐれる。
【００１９】
本発明の長さはポールのサイズごとに変化するが、概して１から２インチである（ポールの先端がドアに挟まれたりして切断若しくは壊れたりして、オリジナルの長さにポールを修復したい場合及び／または短いポールに２、３インチ追加したい場合などに、いくらか長めの３〜４インチ長が使用される）。しかし、平均長は約１／２インチから１・１／２インチである。それらは別々に売られるか、ポールの製造元で使用される。それらは高級プラスティック若しくは滑らかに研磨されるか被覆された金属から成る。それらはすべて中空内部を有する外側が円錐（テーパー）であり、工業的に標準的な接着剤若しくはエポキシによってポールのティップに挿入（取り付け）せしめることができる。
【００２０】
本発明のさらに新規な特徴及び他の目的は、図面とともに為される以下の詳細な説明から明らかとなる。
【発明を実施するための最良の形態】
【００２１】
本発明の特定の実施例が図面を参照して説明されるが、そのような実施例は本発明の原理の応用を表す多くの可能な特定の実施例のほんのわずかを例示したに過ぎないことを理解するべきである。本発明の属する当業者にとって明白なさまざまな変更及び修正は、特許請求の範囲に定義された発明の思想、態様及び予想の範囲内であると見なされる。
【００２２】
本発明はフィッシングポールの先端上に取り付けられるティップである。本発明の第１の実施例において、ティップはセメント若しくは接着剤のいずれかによってフィッシングポールの先端に永久的に取り付けられる。付加的若しくは変形的に、さらにティップはラッピング若しくは熱収縮を容易にするフランジをフィッシングポールの先端に有することによって、フィッシングポールへ固定され得る。言い換えれば、エポキシ若しくは樹脂を使って永久的にティップをフィッシングポールへ取り付けることに加え、ティップはさらにラッピング機構によって取り付けられる。これらのティップのほとんどは多くの場合必要でないためフランジ無しで作成される。
【００２３】
変形的実施例において、本発明はフィッシングポールのティップへ永久的に取り付けられるねじ切りされた端部を有するアタッチメントを含み、取り外し可能なティップは多数の異なるティップがアタッチメントのねじ切りされた端部にそれぞれ螺合するように嵌め合い螺刻面を有する。
【００２４】
本発明のティップはフィッシングポール上の通常のアイ及び／またはローラーエンドを置き換えるよう設計される。ポール上の先端アタッチメントに対するより適当な用語はアイよりもターミナルガイドである。それらはフィッシングポールのさまざまなサイズ及び形状に適合するようにいくつかのサイズ及び形状で作られているが、それらは１インチの６４分の１の工業規格に従い、すなわち４番目は４／６４インチ中空である。それらは、もしラインが周りに巻き付いたときラインがはがれるように重力がラインをほどくようティップを下方に保持するだけでラインをほどくことができるように、外側が円錐（テーパー形状）である。テーパー円錐形状は理想的であるが、これらの新規なティップはパイプ形状（円柱）であるか、先端で非常にわずかにフレアしていてもよく、それらは従来及び既存のすべてのものより非常に改良されているが、円錐テーパー形状はより効果的なデザイン形状である。本発明の態様の範囲内で、円筒形状若しくは非常にわずかにフレア及び／または広がった先端形状は、本発明の画期的な特徴である。
【００２５】
本発明のティップの内部は中空であり、フィッシングポールの末端に適合するよう成形されている。付加的にそれらは先端にアイを有する既存のすべてのターミナルガイドより非常に小さい断面積を有する。それはこのアイ（及びそのブレース及び／またはローラーガイド内のバルジ）が通常のティップ上で巻き付きのホルダーとして作用するからである。本発明のティップの特異な点のひとつは、巻き付く際に釣り糸を保持するバンプ若しくは出っ張りとして作用する通常のポール上の隆起したアイ及び／またはローラーを除去したことである。図面及び含め本発明のすべての説明の中で、適合すべきポールに対して中空を形成するのに使用される材料の厚さは強度を犠牲にしない限りできるだけ薄い。これは最近のステンレススチール（被覆若しくは非被覆）若しくは高品質プラスティックによって簡単に達成される。取り付けられたときティップが当該ティップとポール自身との間にスムースな面を与えるよう薄さが要求される。
【００２６】
ポールのサイズによって長さが変化するが、概してそれらは１から２インチであり、平均長は約１／２インチから１・１／２インチである。それらは別個に売られるか、ポールのオリジナル工場で使用される。
【００２７】
本発明は高級プラスチックまたはスムースに研磨若しくは被覆された金属から作られる。それらはすべて外側が円錐テーパー形状であり、ポールのティップが工業的に標準的な接着剤若しくはエポキシによって挿入（取り付け）されるよう中空内部を有する。
【００２８】
本発明の他の改良において、いくつかのティップは釣り糸進入口を収容するよう頂部（側面若しくは底部ではなく）が約１０分の１から１３分の１インチ厚くなるように太めの中間部を有する。この特別な厚みは（好適ではあるが）必ずしも必要ではなく、平坦な隆起の無い管形状でもよい。１／１０から１／１３インチの特別な厚みによって進入口がわずかに上昇し、その結果ラインは下側の面にこすりつけることなく中に入ることができる。１／１０から１／１３インチは十分に小さいため、それは円錐テーパーの概念を破るものではなく、頂部のみが厚く、側部及び底部はテーパーを補償されている。いくつかのモデルはひとつ若しくは２つのフランジを有し、該フランジの外側には非常に細い溝がある。該フランジはいくらか柔軟であるため、それらはフィッシングポールの軸の隣に位置するよう簡単に曲げられる（若しくは圧縮される）。該フランジは、ラッピング及び／または熱収縮管取り付けによってティップを取り付けるためのより大きな面を与えるのに使用される。外側の細い溝はラッピング若しくは熱収縮を保持するのを助ける。これらのフランジはアイをポールに取り付けるために工業的に通常使用される方法でさまざまな色の糸で巻き付けられる。これらの釣竿の大部分はフランジ無しで作られる。フランジは、工業的製造の要求、ガイドを作るために使用される材料のタイプ、それらが取り付けられるポールのティップの物理的特性による特別な環境でのみ使用される。
【００２９】
ポールの中空内部に加え、さまざまなサイズの釣り糸がフィッシングティップを通じて飛び出せるようにスムースな穴の内部チャネルが存在する。これらのチャネルは本発明の釣竿のほぼ真ん中で始まり、丸いドーナツ形状の穴である末端方向へ横切っている。ほとんどの場合、チャネルは挿入されたフィッシングポールが終端する場所を越えたところで始まる。フィッシングティップの小さい（細い）サイズでは、チャネルは無いかほとんど無く、それは図１５に示されるようなただの中空内部である。ライン用のチャネルは、進入口から下へティップの末端まで伸長する管形状の中空である。チャネルの進入口は円若しくは横に長円であるが、１／１０から１／１３の特別の厚みによって生じる円錐スロープ内にキャストされるなら縦に長円であってもよい。
【００３０】
進入口はティップの強度を著しく損なって曲がったり折れたりしない限りできるだけ大きくする。チャネルがフィッシングティップを通じて進むにつれ、当該チャネルの直径はティップの末端に出るまで徐々に及び／または比例して増加する。ある場合、チャネルは、テフロン（登録商標）、酸化アルミニウム、酸化シリコン、カーバイド等のような耐摩耗及び／または放熱金属の薄い層によって内張りされる。釣り糸はこのチャネルを通されなければならない。ティップにおいて、チャネル（もしチャネルが無ければ中空）の末端のリップは、丸く、スムースでかつ研磨されており、再び摩擦を減少させかつ釣り糸の緊張を緩めるためにドーナツの穴の内側のようにスムースに内側へフレアされている。
【００３１】
小さいサイズの中空では、フレア用の余裕は無く、その代りライン摩擦を避けるためにスムースでかつ丸められている。フィッシングティップのいくつかのモデルは末端の１／３から１／２において、５〜２０°下方を指す弧を有する。とりわけ、ポールが釣り人によって持ち上げられて保持されるとき、この弧によってラインが水を目指してまっすぐにティップを離れることができる。これらの円弧形状のティップは以下に説明されるローラーホイールガイドと交換可能である。
【００３２】
より大きいサイズのチャネルへの進入口は、フィッシングティップのわずかに窪んだ若しくは平たい領域かまたはそれを遠心的に越えるところから始まる。この窪んだ若しくは平たい領域は、フィッシングティップの直径を増加させることなくより太い釣り糸を穴に通すことを可能とし、またチャネル内へのより直線的な経路を与え、同時に下面での釣り糸の摩擦を防止する。１／１０から１／１３インチの隆起した進入口と窪んだ若しくは平たい領域との組み合わせは新規であり、摩擦を減少させる。上記した形状は巻き付きを防止するだけでなく、遠投若しくはより正確なキャスティングを可能にする。これは、通常のガイドを通過するよりもラインがより直線的に出て行くという事実によるものである。通常のガイドにおいて、ラインはばったり倒れ、その結果キャストされたときそれはターミナルアイの頂部、底部、左右側にある。それがどこにあるかによって、ラインはその方向に行こうとする。
【００３３】
上記したように、ねじ切りされた部材である本発明のフィッシングティップの他の取り付け方法がある。一端が中空であるベースが存在し、ポールがこのベース内に挿入され永久的に取り付けられている。ベースの他端は外側が細かくねじ切りされ、末端のティップがネジ止めされる（図２２参照）。取り付けられるネジ止めティップは、ベース上にネジ止めされるように内側に合致するネジ山を有する。これによってさまざまなサイズ及び形状のターミナルガイドがネジ止めされることが可能となり、ターミナルティップは交換可能となる。この交換可能なコンセプトは新規なものである。いくつかのティップは結び目が通過できるようにするために、非常に広いチャネル及び進入口を有する。それらがベースのボディ付近に適合しながら末端ティップのオーバーラップ部分できつくネジ止めされるとき、材料が薄いために、ラインが引っかかるか若しくは泥を集めるようなハブ若しくは表面は存在しない。きつくネジ止めされたときネジ山が進入口と干渉しないようにそれらは作られている。すべての場合において、きつくネジ止めされたとき、進入口がポール上の他のガイドと一直線を為すようにネジ山は配列されている。特徴のひとつは、他のフィッシングポールは古いティップアイ若しくはガイドをはがすか若しくは切断することなくティップ（ターミナルアイ若しくはガイド）を交換することができないということである。交換可能なターミナルガイドを有することの利点は、さまざまな形状及びサイズのガイドが異なるタイプの魚若しくは釣りの要求に応じて使用されるということである。ネジ止めアイ及びネジ止めローラーガイドが可能であり、これもまた新規である。交換可能なティップを有することで、釣り旅に持っていくポールの数を減少させることができ、釣りのタイプの変化に応じてティップのタイプを変更することができる。しばしば折れるポールの部分は、末端のアイ（ポールを運んでいるとき自動開閉ゲートに挟まれるときなど）である。フィールドでポールのティップを素早く交換できるのは、紛れもなく有利である。付加的に、これらのティップはゲートのサイクロンリンクに引っ掛かるようなものを端部に有せず、単にスライドして通過する。
【００３４】
保持力領域を容易に付加するために、ネジ止めされたティップ内の溝領域と一列に並んだ溝領域がベース内に存在し、約ペーパークリップの太さの留めピンが溝領域内に挿入される。このピンは簡単に除去できるがかちんと締まる。これはいわゆる半月キーに非常に似ている。半月キーは、末端ガイドが抜けるか若しくは緩くなることを防止するために（サイズが調整されれば）本発明において使用される。変形的に、留めピンと同じことが標準的な電気テープのような防水テープの一巻きによって達成される。ネジ止めティップは上記された他の仕様に準拠し、すなわちそれはテーパーを形成し、内部チャネルを有し、進入口を有する。
【００３５】
巻き付き防止の他に、本発明のガイドには多くの他の利点がある。これらのティップはその形状のために、ライン摩擦を減少させ及びラインが末端アイの内側円周の周りを打つとき発生するぐらつきを防止する狭いチャネルを通じてラインが離れるようにすることを含むいくつかの理由によって、より遠くへのキャスティングを可能にする。本発明は開放型スピニングリール及び通常のリールの両方で、これらのガイドを使用してほぼ２５％遠いキャストを達成できた。これは異なる太さ及び長さのさまざまなポールを使って達成された。
【００３６】
ラインはチャネルを通じて向けられた方向へより真っ直ぐに飛ぶ傾向があるので、本発明のティップはキャスティング距離を短縮しない。ある場合には、ティップはそれらの形状及び放熱面のために上記したように内側が被覆されているが、耐摩擦、放熱及び／または金属より堅く強くするための被覆は、非常にタフで長くファイトする魚及び／または研摩性の高い釣り糸を使用する場合を除いて必要ではない。それらは、熱をより良く分散しラインのストレスを減少させるため、釣り糸が切れるのを防止するのに役立つ。通常のアイが使用される場合、しばしばラインは通常のアイのリムを越えて鋭くターンするか若しくは曲がる必要がある。この鋭いターンにおけるラインの長いぐらつき若しくは摩擦は研摩性がある。本発明のティップによって、ラインは鋭く曲がるのではなく徐々に弧を描くので、ターンの鋭さは減少する。その場合、弧はチャネルの形状及び出口のスムースな形状による。末端のフィッシングティップガイドを離れるラインのすべての利点は、逆の場合、すなわちラインが巻き取られる場合にも同じである。このようなティップの他の利点は、それが高荷重ポールに典型的なローラーホイールティップガイドの必要性を減少させることである。これらのローラーホイールティップガイドは高価であり、特に泥が付いたり車軸及び／または車軸を保持するネジ部が腐食したとき、動かなくなる（その結果ホイールは回らなくなる）傾向がある。また、ネジはある場合抜ける傾向がある。それらは穴の先端より広いため、巻き付きを保持するよう作用する。より大きいサイズのこれらのティップガイドはそれらの問題を有せず、同時にそれらはローラーガイド上のホイールのすべての利点及び機械的てこ比を有意に有する。ある程度、ティップはその形状及びラインがキャストされるときにポールを離れる方向によってバックラッシュを防止するのを助ける。これはいくつかの理由で本当であるが、バックラッシュ防止の通常の方法（親指を使う）は認められなければならない。これらのティップに対する他の利点は、ユーザーがそれらを狭いロッカーに保管することができるということである。ポールを出し入れする際に、通常のティップはさまざまな物に捕まるか若しくは引っ掛かる。本発明のティップはスムースなティップを有することによってこれを減少させ、その結果何にも捕まらなくなる。
【００３７】
本発明はさまざまな変形的実施例で説明されてきたが、以下本発明のさまざまな実施例を詳細に開示する図面が参照される。
【００３８】
図１から７を参照すると、本発明の好適実施例が示されている。図１は、点線で示される釣り糸を収容する内部チャネルを有する本発明の釣竿ティップの好適実施例の斜視図である。図２は図１の線２−２で取られた断面図である。図３は、図１の線３−３で取られた断面図である。図４は図１の線４−４で取られた断面図であり、チャネルの開口部を示している。図５は、図１の線５−５で取られた断面図である。図６は図１の線６−６で取られた断面図である。図７は図１の線７−７で取られた断面図である。
【００３９】
釣竿ティップ１０は、概して円筒ボディの第１セクションと、円錐形にテーパー付けされた外部形状を有する第２セクションから成る。釣竿ティップ１０の第１円筒セクション１２は薄い側壁１６及び開口部１８を有する基部エンドＬ１を構成する。開口部１８は釣竿の端部を収容するように設計されている。本発明の釣竿ティップがオリジナルの部品製造で使用される際、釣竿の端部は、その直径が開口部１８の直径を収容する（すなわち、ティップが交換できる）ように設計される。もし既存の釣竿上に取り付けられるようなアフターマーケット製品として売られる場合、釣竿の端部は、糊をはがすか糸をカットするかまたは熱収縮のような工業的に標準的な方法で除去される従来のアイを有する。極端な場合、ロッドのティップは切断されるか若しくはのこぎりで切り落とされ、その結果本発明の釣竿ティップを収容するべき釣竿のティップエンドに円筒部分のみが残る。極端な場合とは、ロッドの端部がダメージを受けた時や、上記の方法で古いティップを除去することが不可能である時である。開口部１８のサイズは３から３０までのフィッシングポールの直径サイズに従う。それはサイズが増加するごとにほぼ１／６４インチ増加する。例えば、サイズ１６は直径１６／６４インチ若しくは１／４インチであり、サイズ８は直径８／６４インチ若しくは１／８インチである。したがって、直径１８は３／６４である最小径の釣竿ティップを３０／６４である最大径の釣竿ティップに収容するよう設計される。第１セクション１２は概して円筒形であり、内径１８もまた釣竿ティップの直径を収容するために概して円筒形である。第１セクションＬ１の長さの始まりの後に、図１において点線２０によって内部エンドが示される。そこで内部エンドは、ロッドが深く挿入され過ぎること及び／または糊が進入口をふさぐことを防止するバリアを形成する（図１５において、内部はエンドではなくティップと連通している）。
【００４０】
長さＬ１はフィッシングポールの一般サイズに応じて変化する。３から７までのフィッシングポールサイズに対して、長さＬ１はほぼ１／２インチである。８から１２までのフィッシングポールサイズに対して、長さはほぼ０．７５インチである。１４から３０までのフィッシングポールサイズに対して、長さＬ１はほぼ１インチから１・１／２インチである。第１セクション１２の外側面２２にとって概して円筒形であることは可能であるが、好適実施例において、点Ａから点Ｂへ登る角度で長さ方向へ上部エッジ２４が進むように上部エッジ２４はわずかな角度で上昇し、その結果点Ｂでの壁厚は点Ａでの壁厚よりほぼ１／１０インチから１／１３インチ厚い。フィッシングポールのティップは開口部１８を通じて挿入され、内部円筒チャネル２６の長さを通じて伸長し、開口部が終了する点線２０の領域まで挿入される。フィッシングポールのティップを釣竿ティップ内に維持するために、糊、エポキシ若しくは他の接着剤がチャンバ２６の内壁若しくはフィッシングポールの端部の外面に付着され、その結果それが開口部１８を通じてチャンバ２６内に挿入されるとき、それはチャンバ２６の内壁に接着される。図２及び３の断面図は、それが釣竿ティップの基部エンドの点Ａから釣竿ティップのほぼ中間点の点Ｂへ上るに従い、壁厚が増加することを示している。図面を含めここでの説明のいくつかは、（ティップのネジを除き）それが２つの別個のチャンバを有するようにティップを説明してきた。これら２つのチャンバ（ひとつはポールのティップ用でもうひとつは釣り糸チャネル用）がそれらの間にあってそれらを分離するバリア若しくは堅い部分を有するように示されかつ説明されており、それはティップが作られている材料から成る。このバリアは必ずしも必要ではないが、ティップに大きな強度を与える。特に細いこれらのティップはひとつの連続的な内部中空チャンバ（図１５に示されるような）から成る。単一のチャンバ（すなわち、連続チャンバ）ティップが取り付けられるとき、必要なことはライン進入口（図１５の２４０）をふさぐほど奥までポールをスライドさせないことだけである。奥までティップをスライドさせることを防止するために、内側に小さいハブ（若しくはわずかにより厚い領域）が存在し、その結果ポールのティップがハブ（若しくはより厚い領域）に当たるとそれはそれ以上スライドしなくなる。図示されていないが、ハブは壁２０に代わる少なくともひとつの小さい内部窪みであることがわかるであろう。この場合、糊若しくはエポキシを流してチャネルの進入口若しくは出口をふさがないように注意することが必要である。この単一チャンバ中空内部形状は、それがここで説明された他の新規クレーム及びデザインとともに使用されるとき、新規性を付加する革新的なクレームとなる。
【００４１】
中間点から後の、釣竿ティップ１０の上面には釣り糸を収容するための開口部４０が存在する。開口部４０は釣竿ティップ１０の第２セクション６０（Ｌ２）の長さ方向に伸びる内部チャネル５０へ通じる。図１に示されるように、第２セクション６０は点Ｂから点Ｃへ伸長する。開口部４０の手前の位置３０付近の領域はわずかに窪んでいるか及び／または平坦化されている（小さいサイズでは、金属若しくはプラスティックである材料の薄さが窪みを妨げるので、それは平坦化される）。より大きいサイズでは、材料の厚さがそれを収容することができるため、窪み及び／または平坦領域が使用される。新しいティップを取り付ける際ティップがわずかに大きいとき、それがフィッシングポールに心地よく適合するようにわずかにその直径を減少させるためにハンマーでそれをとんとん叩くことは素人が共通に行うことである。位置Ｂを越えると、釣竿ティップの直径は点Ｃの末端ティップ方向へ先細りになり、その結果それは点Ｂでの釣竿ティップの直径Ｄ１の約５０％から８０％まで減少される。言い換えれば、直径は末端ティップの方向へ減少し、Ｄ１での直径の約２０〜５０％を失う。
【００４２】
摩擦を減少させるために、チャネル５０のティップの内側５２は図示されるようにフレアされている。釣り糸用のチャネル５０の形状は円からわずかに長円に変化する。チャネル５０の直径は３から３０までのティップサイズの増加に比例して増加する。ある場合において、チャネル５０の内壁５４は内壁に対するラインのスムースな動作を容易にするために、酸化シリコン、酸化アルミニウム、カーバイド、重合金等により被覆されている。チャネル出口の直径Ｄ３は進入口４０付近のチャネルの直径より１２５％から１５０％ほど大きい。第２セクションの外壁６２は円錐形（テーパー）であり、その結果もし釣り糸１００が壁の周囲に巻き付いてもラインをほどくのに必要なことは重力でラインがほどけてはがれるようにティップを下方に保持することだけである。ラインが水中にあるとき、釣り糸には流れ、重り、泳ぐえさ、流れと一緒に動くボート等からの引力若しくはドラグがしばしば存在することは事実である。本発明のティップでは、もし巻き付きが生じてもラインに掛かるこの引力若しくはドラグがあらゆる巻き付きを自動的にはがす。
【００４３】
釣竿ティップの全長の約半分である第２セクション６０の長さＬ２は釣竿ティップに使用されるフィッシングポールのサイズに依存して変化する。３から７までのサイズに対して、長さＬ２はほぼ０．５インチである。８から１２までのフィッシングポールサイズに対して、長さＬ２はほぼ０．７５インチである。１４から３０までのフィッシングポールサイズに対して、長さＬ２はほぼ３／４インチから１インチである。したがって、基部エンドＡから末端エンドＣまでの釣竿ティップの全長は、使用されるポールの性質に依存してほぼ１インチから２インチである。３から７までのポールサイズに対して、全長はほぼ１インチである。８から１２までのポールサイズに対して、全長はほぼ１から１．５インチである。１４から３０までのポールサイズに対して、全長はほぼ２インチである。フィッシングポールから伸長する釣り糸１００は他の通常のガイドを通じて巻き取られ、面２４上に伸長し、開口部４０へ進入し内部チャネルに沿って末端ティップＣへ伸長する。上記されたような上部エッジの１／１０インチから１／１３インチまでの特別な厚みによって、進入口４０はわずかに上昇し、その結果釣り糸１００は下面をこすることなくそこに入ることができる。１／１０インチから１／１３インチは十分に小さいので、円錐テーパーの概念を損なうことはなく、厚くなっているのは頂部のみである。平坦で盛り上がりの無い中空形状が使用される際にはこの１／１０インチから１／１３インチの特別の厚みは必ずしも必要ではないが、この特別の厚みは上記されたような利益をもたらす。釣り糸はポールの軸上にそれを保持する通常の基部ガイドによって生じる下方角度で進入口４０に進入することに注意すべきである。概して工業的には、これら通常のガイドはティップのより近くに配置されるように、そのサイズ及び高さが減少されている。あらゆる場合において、それらはポールにこすらないようにラインを持ち上げ、摩擦を減少させる角度でラインを進入口へ導く。これらの通常のアイがどこに配置され、どれくらい離れているかについては、ほとんどの場合、ポールのフレキシビリティ（アクション）に依存する。
【００４４】
釣竿ティップの末端ティップでの開口部５８は図７に示されるように丸いドーナツ形状の穴（材料（金属、プラスティック等）の厚さによって可能なだけ）である。ほとんどの場合、チャネル５０は釣竿ティップ１０のほぼ中央で始まり、末端エンドＣ方向へ横切って、そこでチャネルは丸いドーナツ形状の穴５２に出る。ほとんどの場合、チャネルはフィッシングポールエンドが挿入されたすぐ先で始まる。チャネル５０の進入口４０は円若しくは横方向に長円であるが、円錐形のスロープ内にキャストされる場合には縦方向に長円である。進入口４０はティップが曲がったり折れたりするほど強度を大きく損なわないかぎりできるだけ大きい。チャネル５０が釣竿ティップを通過するに従い、チャネルの直径は図１の点線で示されるように末端ティップＣに出るまで徐々に及び／または比例して増加する。チャネルの形状は摩擦の減少を助ける。ある場合、チャネル５０の内壁は、テフロン（登録商標）、酸化アルミニウム、酸化シリコン、カーバイド等のような耐摩擦及び／または放熱材料の薄い層で内張りされる。釣り糸１００はこのチャネルを通される。末端ティップＣにおいて、チャネルは再度摩擦を減少させかつ釣り糸への緊張を和らげるために壁５２に沿ってフレア（スムースに丸められる）されている。
【００４５】
上記したように、チャネル５０への進入口４０は上部面２４上のわずかに窪んだ（若しくは平坦な）領域３０で若しくはそのすぐ後ろで始まる。この窪んだ若しくは平坦化領域３０は、フィッシングティップの直径を増加させることなく釣り糸の進入口を大きくすることを許し、またチャネルへのより直線的な経路を許す。
【００４６】
上記した形状は、巻き付きを防止するばかりでなく、より遠くかつより正確なキャスティングをもたらす。これは、ラインが通常のガイドを通るよりも直線的に出て行くことによる。通常のガイドでは、ラインはターミナルアイの上下左右にどさっと落ちる。発明者は、本発明のティップを使ったキャスティング練習において、かなりの距離をかなり直線的なラインで狭い路地に一貫してキャストすることができた。発明者が通常のティップに交換したら（同じポール及びリールを使って）、発明者はしばしば横に逸れてキャストし車庫のドアを叩いた。
【００４７】
図１から７に示されるような釣竿ティップ１０は高級プラスティックまたはスムースに研磨され若しくは被覆された金属から作られている。
【００４８】
ひとつの付加的な特徴は、開口部１８に隣接して少なくともひとつのフランジを有することであり、それはフィッシングポールの取り付けを容易にするためのスコアライン７２を当該フランジ７０上に有する。エポキシを使って、チャネル２６の内部にフィッシングポールを取り付ける際に一緒に少なくともひとつのフランジ若しくはある場合には複数のフランジがフィッシングポールの周囲に取り付けられる。ラッピング若しくは熱収縮が適用されると、フランジはロッドティップ１０への付加的な保持力を与える（正確なサイズ（フランジの幅、長さ及び厚さ）は個々の製造者しだいであり、それが作られる材料のタイプにより変化する。しかし、概してそれらの長さは約１／４から１／２インチである。ひとつのフランジのみが存在する場合には、それは底部にあってポール用の開口部２６の円周の約１／４から１／３であり、ポールの円周に一致するよう丸められている。２つのフランジが存在する場合には、それらは上下に対向しており、ポール用の穴の周囲の約１／４であり、穴の周囲に一致するよう丸められている。フランジは、その端部が円周に取り付けられているところよりわずかに薄くなる（テーパー付けされる）ように、すなわち円周での取り付け位置からその端部に向かって薄くなるように設計されている。他の利点の中で、これはフランジにフレキシビリティを与え、その結果それらはフィッシングポールの側面に対しきつくフィットするよう押しつけられる）。フランジの外周のスコアライン７２はフィッシングポールを釣竿ティップ１０へ接着させる。フランジはあるいはエポキシ及び接着剤の代りをし、釣竿ティップは開口部１８を通じてチャネル２６内へ挿入された後少なくともひとつ若しくは複数のフランジによって適所に保持され、従来のフィッシングポール用ラッピング若しくは熱収縮ラッピングによって巻き付けられる。フランジ７０はフランジの外側に非常に細い溝７２を有する。これらの細溝は（ここに述べられたすべてのフランジに対して）付加的であるが、好適である。さらに、それらははしごの上のステップのように、すなわち平行な溝ラインで配列され、約１／１６から１／８インチだけ離隔されている。フランジはフレキシブルであるため、フィッシングポールの軸に隣接するよう容易に曲げられる（若しくは押圧される）。フランジ７０はラッピング及び／または熱収縮管によってティップを取り付けるためのすぐれた作用を与える。フランジ７０の外側の細溝７２はラッピング若しくは熱収縮を保持するのを助ける。これらのフランジ７０はアイをポールに取り付けるための工業的に典型的な通常の方法によってさまざまな装飾色のラインで巻き付けられる。
【００４９】
本発明の第１変形例が図８〜１４に示されている。図８は、点線で示される釣り糸を収容するための内部チャネルを有する本発明の釣竿ティップの第１変形例の斜視図である。図９は図８の線９−９に沿って取られた断面図である。図１０は図８の線１０−１０に沿って取られた断面図である。図１１は図８の線１１−１１に沿って取られた断面図であり、進入口１４０の開口部の始まりを示す。図１２は図８の線１２−１２に沿って取られた断面図である。図１３は図８の線１３−１３に沿って取られた断面図である。図１４は図８の線１４−１４に沿って取られた断面図である。
【００５０】
釣竿ティップ１１０は、概して円筒形のボディである第１セクションＬ’１と円錐形にテーパー付けされた外部形状を有する第２セクションＬ’２から成る。釣竿ティップ１１０の第１の円筒部分１１２は薄い側壁１１６及び開口部１１８を有する基部エンドから成る。開口部１１８は釣竿の端部を収容するように設計されている。本発明の釣竿ティップがオリジナルの部品製造で使用される場合、釣竿の端部はその直径が開口部１１８の直径を収容するように設計される。もし既存の釣竿に取り付けられるようアフターマーケット製品として売られる場合、古いティップは工業的に標準的な方法で（すなわち、糊をはがしてラッピングを切断する）除去される。開口部１１８のサイズは３から３０までのフィッシングポール直径のサイズに従う。それはサイズが増加するごとにほぼ１／６４インチ増加する。例えば、サイズ１６は直径が１６／６４若しくは１／４インチであり、サイズ８は直径が８／６４若しくは１／８インチである。したがって、直径１１８は３／６４インチである最小直径の釣竿ティップから３０／６４インチである最大直径の釣竿ティップまでを収容するよう設計されている。第１セクション１１２は概して円筒形であり、内径１１８もまた釣竿ティップの直径を収容するために概して円筒形である。点線１２０で表された内側の末端部は、ポールが深く挿入されるのを防止し及び／または糊が進入口をふさぐのを防止するバリアである。言い換えれば、図８において、ティップは１２０の左が中空であり、右がソリッドである。バリアを有するか有しないかはティップの機能に影響を与えない。それはティップを形成する材料及び形成方法、すなわち鋳造、機械加工、押し出し等により依存する。製造コストが主に考慮される。上の例外として、サイズ及び直径の物理的制約のため小さいサイズはしばしばバリア無しで作られる。
【００５１】
長さＬ’１はフィッシングポールの一般的なサイズに依存して変化する。３から７までのフィッシングポールサイズに対して、長さＬ’１はほぼ０．５インチである。８から１２までのフィッシングポールサイズに対して、長さＬ’１はほぼ０．７５インチである。１４から３０までのフィッシングポールサイズに対して、長さＬ’１はほぼ１インチである。第１セクション１１２の外面１２２が概して円筒形であることは可能であるが、好適実施例において、上部エッジ１２４は長さ方向へ点Ａ’から点Ｂ’へ上向きの角度で進むようにわずかに盛り上がり、その結果点Ｂ’での壁厚は点Ａ’での壁厚よりほぼ１／１０から１／１３インチ厚くなっている。言い換えれば、Ｌ’１はその上部のみがＡ’よりＢ’の方が厚い。釣竿のティップは開口部１１８を通じて挿入され、内部円筒チャネル１２６を通じて長さ方向に伸長し、点線１２０の領域までずっと挿入される。点線１２０はバリアを表す。フィッシングポールの先端を釣竿ティップ内に維持するために、チャネル１２６の内壁若しくはフィッシングポールの端部の外側面にエポキシ若しくは他の接着剤が塗布され、その結果ポールが開口部１１８を通ってチャンバ１２６内に挿入されると、内部チャンバ１２６の壁に接着される。図９及び図１０の断面図の違いは、釣竿ティップの基部エンドである点Ａ’から点Ｂ’へ盛り上がるように壁の厚み１２４が増加することを示している。
【００５２】
中央付近の釣竿ティップ１１０の上面には釣り糸を収容するための開口部１４０がある。該開口部１４０は釣竿ティップ１１０の第２セクション１６０の長さ方向に伸びる内部チャネル１５０へ至る。第２セクション１６０は図８に示されるように点Ｂ’から点Ｃ’へ伸びる。開口部１４０のすぐ手前の上面１２４の位置で、開口部１４０の正面の領域は当該開口部に進入する釣り糸に対しよりスムースな移行をもたらすようわずかに窪んでいるか若しくは平坦化されている。点Ｂ’を越えると、釣竿ティップの直径は点Ｃ’の末端ティップ方向へ先細りとなり、その結果それは直径Ｄ’１の約８０％から５０％まで減少する。言い換えれば、直径は末端ティップの方向へ減少し、その直径Ｄ’１の２０〜５０％を損失する。したがって、釣竿ティップの末端エンドでの直径Ｄ’２は直径Ｄ’１より小さい。直径の減少量はポールのフレキシビリティ及びフレキシビリティの位置によって個々の製造者にゆだねられる。フレキシビリティの位置の概念は工業界ではしばしばアクションと呼ばれる。ポールは超ファーストアクション、ファーストアクション、スローアクション等のポールの作り出すアクションによって製造される。
【００５３】
摩擦を減少させるために、チャネル１５０のティップの内側は末端ティップにおいてフレア（丸め／スムース／研磨）されている。釣り糸用のチャネル１５０の形状は円形からわずかに長円まで変化する。チャネル１５０の直径は３から３０までのティップサイズの増加に比例して増加する。ある場合、チャネル１５０の内壁１５４は、内壁１５４に対するラインのスムースな動きを容易にするために酸化シリコン、酸化アルミニウム、カーバイド、硬合金等のような材料で被覆される。チャネルの出口の直径Ｄ’３は進入口１４０付近のチャネルの直径よりほぼ１２５〜１５０％大きい。図８の壁１６２は注意して見ると弧を描いていることがわかる。これは裸眼では見えない。進入口１４０の末端エンドからＣ’の先端へ若しくはＤ’１の矢印からティップの底へ１６２に沿って直定規を置けば、それが弧を描き直線ではないことがわかる。この弧は必ずしも必要ではないが、それはいくつかの理由により機能性を増加させる。第２セクション１６０（Ｌ２）は外壁１６２が円錐（テーパー）であるため、もし釣り糸１００が壁の周りに巻き付いたとしても、重力がラインをほどくようにティップを下方へ保持するか若しくはラインの向心力を使ってキャストすることでラインをほどくことができる。
【００５４】
第２セクション１６０の長さＬ２は釣竿ティップの全長のほぼ１／２から２／３であり、その長さは釣竿ティップが使用されるフィッシングポールのサイズに依存する。サイズ３から７に対して、長さＬ’はほぼ０．５インチである。サイズ８から１２のフィッシングポールに対して、長さＬ’１はほぼ０．７５インチである。サイズ１４から３０のフィッシングポールに対して、長さＬ’１はほぼ１から１・１／２インチである。したがって、基部エンドＡ’から末端エンドＣ’までの釣竿の全長は使用されるポールの性質に依存してほぼ１から２インチである。サイズ３から７のポールに対して、全長はほぼ１インチである。サイズ８から１２のポールに対して、全長はほぼ１．５インチである。サイズ１４から３０のポールに対して、全長はほぼ１・１／２から２インチである。フィッシングポールのリールから伸長する釣り糸１００は面１２４上を伸び、開口部１４０に進入し、内部チャネル１５０内を末端ティップＣ’へ伸長する。上記した上部エッジ１２４の１／１０インチから１／１３インチの特別な厚みにより、進入口１４０はわずかに持ち上がり、その結果釣り糸１００は下面をこすらずに進入することができる。１／１０インチから１／１３インチは十分に小さいので、円錐テーパーの概念を損なうことはなく、上記したように厚いのは頂部のみである。側部及び底部は補償するようテーパー付けされている。この１／１０インチから１／１３インチまでの特別な厚みは、平坦で盛り上がりのない中空形状を使用する場合には必ずしも必要ではないが、この特別な厚みは上記したような利点をもたらす。
【００５５】
釣竿ティップの末端ティップでの開口部１５８は図８に示されるように丸いドーナツ形状の穴である。ほとんどの場合、チャネル１５０は釣竿ティップ１１０の最初のほぼ１／３か若しくは中央で始まり、末端エンドＣ’方向へ横切って、丸いドーナツ形状の穴から出る。ほとんどの場合、チャネルは挿入されたフィッシングポール端部を越えたところから始まる。上記したように、ティップサイズがより小さい場合には、ポールが挿入される中空部分とライン進入口及びチャネルを有する部分との間には鋳造壁若しくはバリア（図１の２０及び図８の１２０）は存在しない。図１５はバリアのないティップであって、進入口をすぐに越えたところからテーパーが始まる単一の中空チャネルが示されている。この場合、ティップ内に挿入されたときにグラスファイバー製のポールの先端がバリアを形成する。図８のチャネル１５０の進入口１４０は円形若しくは横に長円であるが、円錐形のスロープ内にキャストされるのであれば縦に長円を為す。進入口１４０は、ティップが曲がったり折れたりするほど強度を著しく低下させない限りできるだけ大きく取られる。また進入口のサイズは、ティップが作られているか若しくは被覆されている材料の物理的な性質によってわずかに変化する。チャネル１５０が釣竿ティップを通じて移行するに従い、チャネルの直径は末端ティップＣ’から出るまで徐々に及び／または比例的に増加する。チャネルの形状は摩擦の減少を助ける。ある場合、チャネル１５０の壁はテフロン（登録商標）、酸化アルミニウム、酸化シリコン、カーバイド等のような耐摩擦及び／または熱放出材料の薄い層で内張りされる。釣り糸１００はこのチャネルを通される。末端ティップＣ’において、チャネルは再度摩擦を減少させかつ釣り糸上の緊張を緩めるために壁１５２に沿ってフレア（スムース、被覆、丸め、研磨等）される。
【００５６】
上記したように、チャネル１５０への進入口１４０は上面１２４上のわずかに窪んだ及び／または平坦な領域１３０のすぐ後ろで始まる。窪んだ領域１３０は、フィッシングティップの直径を増加せずにより大きい釣り糸の進入を許し、かつチャネルへのより直線的な経路をもたらす。１／１０インチから１／１３インチの特別な厚みと窪み若しくは平坦領域との組み合わせによって、ラインはより少ない摩擦で進入口に入ることができる。これが新規な点である。
【００５７】
上記のような形状は巻き付きを防止するばかりでなく、より遠くかつより正確なキャスティングをもたらす。これはひとつにはラインが通常のガイドを通るよりもより直線的に出て行くためである。通常のガイドにおいて、ラインはターミナルアイの上下左右にあるように周囲にどさっと落ちる。
【００５８】
図８から１４に図示されるように、釣竿ティップ１１０は高級プラスティックまたはスムース研磨若しくは被覆された金属から成る。
【００５９】
ひとつの付加的な特徴は、図８の開口部１１８に隣接するフランジを有することであり、当該フランジはフィッシングポールの取り付けを容易にするためにスコアライン１７２を有する。フィッシングポールをチャネル１２６の内部に取り付けるのにエポキシを用いるのに加え、フィッシングポールの周りに取り付けられたフランジ（好適には複数のフランジ）がラッピングされるか若しくは適所に熱収縮される。フランジの外側のスコアラインはラッピング糸若しくは熱収縮体を適所に保持するのを助け、その結果フィッシングポールガイドは釣竿のティップに接着される。特別な情況を除きまれであるが、フランジはエポキシ及び接着剤の代りとなり、釣竿ティップは開口部１１８を通じてチャネル１２６内に挿入され、従来のフィッシングポールラッピング若しくは収縮ラッピングによって巻き付けられた少なくともひとつ若しくは複数のフランジ１７０によって適所に保持される。フランジ１７０はフランジの外側に非常に細い溝１７２を有する。フランジはフレキシブルであるため、フィッシングポールの軸の隣に位置するように簡単に曲げられる（若しくは圧縮される）。フランジ１７０はラッピング及び／または熱収縮チューブによってティップを取り付けるためのより多くの助けを与えるのに使用される。フランジ１７０の外側の細い溝１７２はラッピング若しくは熱収縮チューブを保持するのを助ける。これらのフランジ１７０はアイをポールへ取り付けるための工業的に典型的な方法でさまざまな色のラインによって巻かれる。
【００６０】
第１の変形例と本発明の好適実施例との間の大きな違いは、図８に示されるように釣竿ティップ１１０の第２セクション１６０（すなわち、Ｌ’２）が下方に向いたアークで５°から４５°下方へ弧を描いて向けられているということである。角度Ｔは５°から４５°下方へ曲がったアークである。とりわけ、ポールが釣り人によって持上げられて保持されるとき、このアークによってラインは水に向かってティップを離れることができる。この点はまた、ポールがポールホルダー内に配置されており、そのティップ（すなわち釣り糸）が水に向かっているときのアークティップに対しても同様である。これらのアーク形状のティップは従来の釣竿で使用されているローラーホイールガイドと交換することも可能である。これは、アークの表面形状がホイールの球面形状と同等であるからである。ローラーガイド内のホイールは、ラインがホイールの側面とホイールを保持する２つのサイドフレームのひとつとの間に挟まれないようホイールのエッジから離れた適所にラインを保持するために溝が掘られている。このことは、ホイールを保持するネジが緩んでギャップが形成されるときにしばしば発生する。本発明の設計において、内部のチャネルは丸くなっており、ローラーホイール内の溝として作用する。これが新規な点である。付加的に、ローラーガイド付きのポールは引き釣りをするのにしばしば使用され、ルアーがジャンプ若しくは波の上でバウンドしてポールのティップを振動させるとき巻きつきやすい。この巻きつきは魚を外すのを妨げるか若しくはリールからラインを引き出すのを妨げる。これによってラインは切れ（魚を逃がす）及び／または手で巻きつきを解くまで魚を巻き取るのが不可能になる。本発明のティップはこれらの問題を解決する。ローラーホイールのその他の問題点は、あるポール（すなわち、バットにジンバル溝の無い）がポールホルダーに配置されるとき、それはしばしばその軸上で回転しやすいということである。この回転はローラーガイドの回転も生じさせ、その結果ラインはホイールの溝から外れ及び／またはホイールに対して斜めの角度でローラーガイドを離れる。ときどきポール及びガイドの軸方向の回転が非常に極端であるため巻きつきを生じさせる。本発明のティップの形状、設計及び機能性はこれらの問題を有しない。ロッドホルダー内でのロッドのこの軸方向回転を防止するために、より高価なポールに対する今日の工業的スタンダードはポールのバットに互いに９０°の角度を有する２つのノッチ若しくは溝を配置した。これらは時々ジンバル及び／またはジンバルノッチ及び／またはジンバルされたポールと呼ばれる。典型的に、これらのノッチはノッチが不要なときに除去可能なゴム製キャップ（簡単になくしてしまう）で覆われている。これらのノッチを収容するために、ボトムにノッチと係合するバーを有する特別のポールホルダーが存在する。これが軸方向の回転を防止する。ポールがより高価になる上に、ボトムバーを有するロッドホルダーもまたより高価である。いくつかのロッドホルダーはバーを有せず、ポールバット上のジンバル溝を役たたずにする。本発明はいくつかの理由でその問題を解決するが、それはラインが絡まったり若しくは巻きついたり��ることなく３６０°の円でポールのティップを離れることができるということを含む。本発明のティップを使って練習した際、発明者は頭上に投げ縄のような複数の円でラインをスイングすることができ、その後簡単にキャスト若しくはリトリーブすることができた。位置固定した（すなわち、ジンバル及びロッドホルダー内のバーを使った）ポールを使って引き釣りをする際のひとつの問題は、ボートがきつくターンしたときロッドが補償するよう回転できないということである。したがって、ラインは非能率的でかつ厄介な斜めの角度でローラーから引き出され、しばしば巻きつく。本発明のティップはこの問題を解決する。ロッド上のジンバルによってそれは９０°シーケンス（すなわち、４つのポジション）に置かれることに注意すべきである。引き釣りをしながらアウトリガーを使う際、ロッドは４つの可能な位置のひとつに配置されなければならず、典型的にこれは船尾である。ラインがアウトリガーの保持クリップに接続されると、それは極端に上方へか、ロッドが使われているボートの側によって非常に右若しくは左の方向へポールから離れる。魚がかかると、ラインはアウトリガーから放たれ、ボートの後ろを引きずる。ラインはいくつかの理由によりアウトリガーから放たれた後時折ポールのティップ上に巻きつく。それはポールがホルダー内にセットアップされた時概してボートの後ろ（船尾）方向へ向けられるため、ラインは少なくとも９０°方向を変えなければならないことを含む。アウトリガーから放たれる際の巻きつきの他の理由として、ラインにふく風の影響、アウトリガーからのリリースを生じさせない魚の当たり等のような多くの理由が存在する。本発明のティップはこれらの問題を解決する。
【００６１】
本発明のティップは既存のガイド若しくはローラーより製造費が高価であってはならず、実際にほとんどの場合それらはより安い。それを使うことでポールジンバルノッチ及びロッドホルダー内のバーの増加コスト及び不都合が排除される。ジンバルノッチはしばしば保持されるポール上に必要とされ、釣り人のベルトのカップ内に配置されるべきである。
【００６２】
したがって、本発明の最初の変形的実施例は好適実施例の他のすべての特徴に加え少なくともひとつ若しくは複数のフランジの付加的特徴を含むが、さらに付加的特徴として末端の２／３から１／２で下方に向いたアークが５°から４５°の間の角度Ｔであるように第２セクション１６０が下方に傾いた角度を有し、その結果釣り糸１００は水に向かってティップを離れる。これは摩擦を減らすと同時に熱をより良く散逸させる。言い換えれば、ラインが水に向かっているとき、それは通常のアイのリムのボトム周辺を連続的にこすらずに出入りする。ラインが通常のアイのリムをこするとき、ポールが真っ直ぐに保持され回転しないと仮定して、摩擦はいつも同じ部分、すなわちラインのボトム部分がリムと接触する。
【００６３】
本発明の第２の変形的実施例が図１５から２１に示される。この第２の変形的実施例は、３番から１０番のような小さく細い釣竿に使用されることを除けば、本発明の好適実施例に匹敵する。この場合、チャネル２５０は図１５に示されるように概して中空セクションから成る。これは図１６から２１を考察することによって分かる。したがって、３番から１０番のような小さい釣竿を収容するように設計された小さいサイズの第２の変形的実施例において、完全なチャネルは存在しないか若しくはほとんどチャネルは存在せず、内部は中空なだけである。言い換えれば、ライン１００用のチャネル２５０はティップ末端Ｃ’’まで伸長する、入口から下の管形状中空体である。上述したように、特に小さいサイズに対して、単一中空連続チャネルが存在し、ティップが取り付けられる際にポールのティップ若しくは糊が入口２４０を塞ぐのを避ける必要がある。
【００６４】
本発明の第２の変形的実施例は図１５から２１に示されている。図１５は釣り糸を収容するための内部チャンバを有する本発明の釣竿ティップの第２の変形的実施例の斜視図である。図１６は図１５の線１６−１６に沿って取られた断面図である。図１７は図１５の線１７−１７に沿って取られた断面図である。図１８はチャネルの開口部を示す、図１５の線１８−１８に沿って取られた断面図である。図１９は図１５の線１９−１９に沿って取られた断面図である。図２０は図１５の線２０−２０に沿って取られた断面図である。図２１は図１５の線２１−２１に沿って取られた断面図である。
【００６５】
釣り糸ティップ２１０の第２の変形的実施例は、概して円筒形の第１セクション（Ｌ’’１）と円錐型に設計された外形でテーパーする第２セクション（Ｌ’’２）から成る。釣り糸ティップ２１０の第１セクション２１２は薄い側壁（２２２、２２４）及び開口部２１８を有する基部エンドから成る。開口部２１８は釣竿の端部を収容するように設計されている。本発明の釣竿ティップがオリジナルのイクイップメント製品と一緒に使用される場合、釣竿の端部はその直径が開口部２１８及びチャネル２２６の直径と適合するように設計される。既存の釣竿に取り付けられるようアフターマーケット製品として売られていれば、古いティップが工業標準ごとに除去されなければならない。しかし、これらのティップは、ポールティップがアクシデントで壊れた時及び／または離れないようにエポキシで取り付けられているため古いティップを切断する必要がある場合に有効である。開口部２１８のサイズはフィッシングポールの直径３から３０のサイズに従う。それはサイズが増加するごとに約１／６４インチ増加する。例えば、サイズ１６の直径は１６／６４若しくは１／４インチで、サイズ８の直径は８／６４若しくは１／８インチである。したがって、直径２１８は３／６４の最小直径の釣竿ティップから３０／６４の最大直径の釣竿ティップまでを収容するように設計されている。第１セクション２１２は概して円筒形であり、内径２１８もまた釣竿ティップの直径を収容するために概して円筒形である。長さＬ’’２はＤ’’１からＣ’’へテーパー付けられている。図１５のＬ’’２に示されるテーパーは、ボトムが相対的に平坦でありトップがテーパーを形成して下に曲がるように示されている。これは逆でも可能である。また、ボトム及びトップの両方がテーパーを作るように曲がっていてもよい。言い換えれば、テーパーを作るには３通りの方法がある。しかし、テーパー付けするための３通りの方法を考える場合、ティップは３次元でありかつ丸い形状を有することを思い出さねばならない。本発明の詳細な説明及び図面全体を通じてティップの断面形状は丸いとして言及されているが、他の実施例が存在すればいくらか長円（完全若しくは一部）の断面であることを妨げるものではない。長円の主な欠点は製造費が高いことであり、ポールがフィットする少なくとも一部（ホール）は丸くなければならない。テーパー付けするこれら３通りの方法はすべて発明者の試験で同様に有効であった。製造コストを含むいくつかの事項がどの方法を使用するかを決定する。
【００６６】
長さＬ’’１はフィッシングポールの一般的サイズに依存して変化する。３から７のフィッシングポールサイズに対しては、長さＬ’’１は約０．５インチである。第１セクション２１２全体の外面２２２を概して円筒形にすることは可能であるが、好適実施例において、トップの長さ方向外部エッジ２２４が点Ａ’’から点Ｂ’’へ上向きの角度で進むように上部の長さ方向エッジ２２４はわずかな角度で上昇し、その結果点Ｂ’’での壁厚は約１／１０’’から１／１３’’ほど点Ａ’’の壁より厚い。フィッシングポールのティップは開口部２１８を通じて挿入され、内部の円筒形チャネル２２６の長さを通じて伸長しずっと入口２４０まで（そこを越えずに）挿入される。釣竿ティップ内にフィッシングポールのティップを維持するために、糊、エポキシ若しくは他の接着剤がチャンバ２２６の内側周辺若しくはフィッシングポールのティップの外面に塗られ、その結果それが開口部２１８を通じてチャンバ内に挿入される際、内部チャンバ２２６の壁に接着する。図１６及び図１７の断面図は釣竿ティップの基部エンドでの点Ａ’’から釣竿ティップのほぼ中間点の点Ｂ’’へ上昇するように壁厚２２４が増加することを示す。図１８はトップの入口を示す。図１５にはフランジが示されていない。
【００６７】
中間点を過ぎると、釣竿ティップ２１０の上面には釣り糸を収容するための開口部２４０が存在する。開口部２４０は釣竿ティップ２１０の第２セクション２６０の長さを延長する内部チャネル２５０へ通じる。第２セクション２６０は図１５に示されるように点Ｂ’’から点Ｃ’’へ伸長する。開口部２４０のすぐ手前の上面２２４の位置２３０において、開口部の正面の領域は釣り糸がよりスムースに開口部に入るようにわずかに平坦化されている。位置Ｂ’’を越えると、釣竿ティップの直径は点Ｃ’’の末端ティップ方向へ先細りしている。したがって、釣竿ティップの末端エンドでの直径Ｄ’’２はＤ’’１での直径より小さい。
【００６８】
摩擦を減少させるために、チャネル２５０のティップのエッジ２５２は全周縁にわたって丸められ、スムースに研磨され、被覆される。釣り糸用のチャネル２５０の形状はＬ’’２の内部寸法によって決定される。本発明の壁厚は通常のフィッシングアイを作る際に工業的に使用されている厚さと同等である点に注意すべきである。これは１０セント硬貨の厚さの１／２から５セント硬貨の厚さの範囲である。したがって、ある程度まで、ラインチャネルの形状は使用される材料の厚さによって決定される。３から１０番のより小さいサイズのポールを収容するように設計された第２の変形的実施例２１０はオープンチャネル２５０である。ある場合において、チャネル２５０の内壁２５４は、内壁２５４に対してラインがスムースに動くようにするため、酸化シリコン、酸化アルミニウム、カーバイド、硬合金等によって被覆される。チャネルの出口の直径Ｄ’’２は、直径を減少させるテーパーを斟酌し、ティップが作られる材料の厚さを考慮した上でできるだけ大きい。上述したように、第２セクション２６０は、もし釣り糸１００が壁の回りに巻きついたらラインをほどくためにすることは重力がラインをほどきはがすようにティップを下方へ保持するか若しくはオーバーヘッドキャストしてはずすことだけであるように、外壁２６２上で円錐（テーパー）形状を有する。
【００６９】
サイズ３から７番用の釣竿ティップの全長の約半分である第２セクション２６０の長さＬ’’２は、約０．５インチから３／４インチである。したがって、基部エンドＡ’’から末端エンドＣ’’までの釣竿ティップの全長は１から１と１／２インチである。フィッシングポールのリールから伸びる釣り糸１００は面２２４の上を通って開口部２４０に入り、末端ティップＣ’’まで内部チャネル２５０内を伸長する。上述したような上部エッジ２２４の付加的な１／１０’’から１／１３’’の特別な厚みにより入口２４０はわずかに上昇し、その結果釣り糸１００は下の面をこすらずに入口に入ることができる。１／１０’’から１／１３’’は充分に小さいので、円錐テーパーの概念を破らず、上記したように厚いのはトップのみである。サイド及びボトムウは補償するようテーパー付けされる。平坦で盛り上がりのない管形状も有効であるので１／１０’’から１／１３’’の増加した特別の厚みは必ずしも必要ではないが、この特別な厚みは上記したような利益をもたらす。
【００７０】
ほとんどの場合において、釣り糸用のチャネルは挿入されたフィッシングポールが終端する場所を越えたところで始まる。チャネル２５０の入口２４０は円若しくは横方向の長円であるが、もしそれが円錐スロープ内へのキャストであれば縦方向への長円である。入口２４０は曲がったり折れたりするほどにティップの強度を大きく低下させることなくできるだけ大きい。釣り糸１００は入口を通じてこのチャネル内に通されなければならない。末端ティップ２５２において、チャネルの周縁はさらに摩擦を減少させかつ釣り糸の緊張を和らげるべくスムースで、研磨され、被覆され、丸められている。
【００７１】
上記したように、チャネル２５０への入口２４０は上部面２２４上のわずかに凹むか若しくは平坦化された領域２３０か若しくはそのすぐ後ろで始まる。この凹んだ領域２３０によってフィッシングティップの直径を増加させることなくより大きい釣り糸が入ることを可能にし、下面をこするラインからの摩擦を減少させると同時にチャネルへの直線パスを可能にする。
【００７２】
上述されたような形状は巻きつきを防止するばかりでなくより遠くかつ正確なキャスティングを可能にする。これは部分的に通常のガイドを通過するよりもより直線的にラインが存在するという事実のためである。通常のガイドにおいて、ラインはターミナルアイのトップ、ボトム、右側若しくは左側にあるように周囲に落ちる。ひとつの付加的な特徴は開口部２２６に隣接し外側にスコアラインを有するひとつのフランジを有するということである。フランジは実際には非常に小さいサイズにおいて必要ではないため図１５には示されていないが、特別な状況において役に立つ。フランジはエポキシ及び接着剤に代わることができ、釣竿ティップは開口部２１８を通じてチャネル２２６内に挿入され、その後従来のフィッシングポールラッピング若しくは熱収縮タイプのラッピングによって巻かれた少なくともひとつ若しくは複数のフランジによって適所に保持されるということがわかるであろう。もし使用されるのであれば、フランジは外側に非常に細い溝を有する。フランジは幾分フレキシブルであるため、フィッシングポールのシャフトの隣りに位置するよう簡単に曲げられる。これらのフランジはアイをポールに取り付けるための工業上典型的な通常の方法でさまざまな色のラインで巻かれる。フランジは図８のＡ’若しくは図１のＡにおいてそれらが取り付けられる場所よりもその外側部分の方がわずかに薄い。このより薄いという概念によってあらゆるラッピング若しくは熱収縮がスムースに適応されると同時にポールに接着するためによりフランジがよりフレキシブルになる。
【００７３】
本発明の第３の変形的実施例が図２２に示される。例として、第３の変形的実施例は図１から７に示された好適実施例を利用して示されているが、ねじ切りされたアタッチメント手段である付加的特徴が図８から１４に示された第１の変形的実施例及び図１５から２１に示された第２の変形的実施例に組み込まれ得ることが認識されよう。図２２に示されたねじ切りされた変形的実施例は釣竿ティップに対し２つの分離したセクションを要求する。第１セクションはフィッシングポールのティップを収容するよう設計された中空開口部４１８を有する一端が中空のベース部材４００である。フィッシングポールは開口部４１８を通じて挿入され、内部チャンバ４２６内に伸長し、上述したようなエポキシ若しくは他の接着剤によってベース４００へ固定されることによってベース４００へ永久的に取り付けられる。さらに、ベースは上記したようなフランジ４７０を組み入れることもできる。
【００７４】
したがって、ベース４００の基部エンドは上記したようにポールティップを収容するよう設計されている。３から７番のフィッシングポールサイズに対して、ベースＢ１の長さは約０．５から０．７５’’である。８から１２番のフィッシングポールサイズに対して、ベース４００の長さは約０．７５から１．０’’である。１４から３０番のフィッシングポールサイズに対して、長さは約１から１・１／２インチである。末端エンド４５２はベース４００の外部面４４０に複数の細いネジ山４３０を有する。ベース所のネジ山４３０の目的は、釣竿ティップが除去されるか及び／または他の釣竿ティップと交換されるように釣竿ティップがベースにネジ止めされるようにすることである。
【００７５】
本発明の第３の変形的実施例は、内壁３２８が釣竿ティップがベース４００のネジ山４３０にネジ止めされるよう設計された複数の交合ネジ山３２７を有するということを除いて、図１から７に示された好適実施例と同一である。これによって、さまざまなサイズ及び形状の釣竿ティップがネジ止めされることができ、ターミナルティップは交換可能となる。あるティップは結び目が通過できるように非常に広いチャネル３５０及び入口を有する。一緒にネジ止めされると、それらは末端ティップ（エンドリップ３７５）のオーバーラップ部分によって固く取り付けられベース４４０のボディ付近に設置され、材料が薄いためにラインを引っ掛けたり若しくは泥を集めるようなハブ若しくは面は存在しない。それらは固くネジ止めされた際ねじ山が入口と干渉しないように製造されている。すべての場合において、ねじ山４３０及び３２７は固くネジ止めされたとき入口がポール上の他のガイドと一直線になるように配設されている。入口及びチャネルの表面は上記したように被覆される。図２２の垂直線３８０は図８の１２０及び図１の２０と同様に内部ねじ山が終わる場所を表す。３８０を越えたところに上でバリアと呼ばれたような、ポールの過度な挿入を防止する固体材料が存在する。バリアを有する必要はないが、その代わり内壁３２８は連続し、出口３９０に出る。言い換えれば、リップエンドでのみ内側がねじ切りされ、その後ねじ山が終わり、スムースな中空チャネルが３９０に出るような連続の中空チャネルである。固くネジ止めされるとき、ねじ山は入口がポール上の他のアイ若しくはガイドと一直線になるようにしなければならない。また、ベース４３０のねじ山は入口３４０を遮蔽してはならない。このネジ止めに関して、ポールティップが４４０の内部で停止するためポールを過度に挿入することは不可能である点に注意すべきである。これは入口を遮蔽する糊についても言える。もし平坦領域が存在すれば、それは３９５に在る。
【００７６】
ひとつの特徴は、糊を剥がすか、古いティップ若しくはガイドを切断することなくティップを交換できるフィッシングポールは他に無いということである。図１に実施例が示されているが、釣竿ティップの基部エンドの内側のねじ山は図８から１４に示された第１の変形的実施例及び図１５から２１に示された第２の変形的実施例に組み込まれることが認識されよう。
【００７７】
交換可能な釣竿ティップを有する利点は、さまざまな形状及びサイズのティップ若しくはガイドが異なるタイプの魚若しくは釣りの要求に応じて使用可能であるということである。ネジ止め通常アイ及びネジ止め通常ローラーガイドが可能である。例えば、引き釣りをしたいときティップを交換する。言い換えれば、ネジ止めできる本発明のティップは弧を描くか若しくはカーブすることもできる。
【００７８】
交換可能な特徴は図２３に示されるローラーガイドのような他の付加的なティップに組み込むことも可能である。本発明のこの変形的な実施例の使用により、釣り人は異なるエンドティップ及びガイドのセットを持つことができ、その結果既存のティップを回してはずし必要とされる別のティップと置換することができる。図２３に示されるようなねじ切りされたローラーガイドは本発明のティップと置換可能であり、その結果釣り人がローラーガイドを使用する必要があるとき本発明のティップの替わりにローラーガイドティップが使用される。これはローラーガイドが破損したような場面でそれを交換するのを可能にする。しかし、上述したように、これらの新しいティップのアークバージョンは、ローラーガイドが固有の問題なく行うすべてのことを行う。付加的に、アークバージョンは安く、保持するのが簡単で、壊れにくい。
【００７９】
本発明の交換可能ティップの使用により、釣り人は釣り旅に持っていくポールの数を少なくすることができ、釣りにタイプの変更に応じてティップのタイプを変えることができる。
【００８０】
上記したような固定ねじ嵌合に加え、ティップがアクシデントで緩んではずれるのを防止するように付加的な装飾が付加される。それは保持ピンが挿入されるところのベース４００内の溝領域であり、末端ティップ上の溝領域と一直線を為す。この保持ピンはペーパークリップと同じ厚さであり、かちんと締まるが簡単に除去できる。保持ピンが存在すべきであれば、それ用の溝がボトムすなわちライン入口の反対側になければならない。本発明のねじ切りされたティップの場合、溝は固くネジ止めされたときのみ一列になる。この保持ピンはいわゆる半月キーと非常に類似している。半月キーはガイドの基部エンドがベースの末端エンドからアクシデントで緩んではずれるのを防止するために挿入される。上記したように、偶発的な緩みは電気テープのような防水テープのひと巻きによって防止される。しかし、もし適当に細かくねじ切りされていれば、偶発的に緩むことは非常にまれである。
【００８１】
製造において、ねじ切りされたベースの上面にマーク（ドット、ディンプル等）が存在する。このマークによって、ポールにそれを取り付ける者はこのマークを常にポールの上面に有するようにすることができる（アライメントマーク）。変形的に、このアライメントマークはベースのボトム上にある保持ピン用の溝ラインであってよく、取り付ける者はこのアライメントマークがボトムにあるのを指示される。言い換えれば、このアライメントマークは、両方のパーツのねじ山がどこで始まりどこで終わるかについて既知の方法でポールにベースを取り付けることを可能にする。あらゆる末端ティップがネジ止めされる際回転を停止させ、その結果ライン入口がポール上の他のガイドと適当に整列するようにねじ山が調節される。言い換えれば、ねじ山が始まり及び終わり、ティップがネジ止めされた場合ねじ山が限界に達したとき常に停止しライン入口が上面にあるような周囲の特性によってベースをポールへ取り付けることが必要である。アライメントマークは個々の製造業者の商標、名称、製品コード、識別マーク等であることを妨げない。
【００８２】
本発明が実施され若しくは動作するところのさまざまな形式若しくは修正のすべてを示すのではなく動作実施例の図示及び開示のためにのみ示された装置若しくは方法が示されかつ説明された請求の範囲の思想若しくは態様から離れることなくさまざまな特性若しくは関連において修正が可能であるため、本発明はここに開示された特定の形式若しくは装置、若しくはあらゆる特定の実施例、若しくはあらゆる特定の使用に制限されるものではない。
【００８３】
本発明は少なくともひとつの形式の完全な公的開示を与えることにより特許法に従うためかなり詳細に説明されてきた。しかし、そのような詳細な説明は本発明の特徴若しくは原理または許可されるべき特許の態様をあらゆる意味で制限するものではない。したがって、発明は特許請求の範囲の態様によってのみ制限されるべきである。
【図面の簡単な説明】
【００８４】
【図１】図１は、点線で示された釣り糸を収容するための内部チャネルを有する本発明の釣竿ティップの好適実施例の斜視図である。
【図２】図２は、図１の線２−２に沿って取られた断面図である。
【図３】図３は、図１の線３−３に沿って取られた断面図である。
【図４】図４は、チャネルの開口部を示すために図１の線４−４に沿って取られた断面図である。
【図５】図５は、図１の線５−５に沿って取られた断面図である。
【図６】図６は、図１の線６−６に沿って取られた断面図である。
【図７】図７は、図１の線７−７に沿って取られた断面図である。
【図８】図８は、点線で示された釣り糸を収容するための内部チャネルを有する、先端が下方に曲がった本発明の釣竿ティップの第１変形例の斜視図である。
【図９】図９は、図８の線９−９に沿って取られた断面図である。
【図１０】図１０は、図８の線１０−１０に沿って取られた断面図である。
【図１１】図１１は、チャネルの開口部を示すために図８の線１１−１１に沿って取られた断面図である。
【図１２】図１２は、図８の線１２―１２に沿って取られた断面図である。
【図１３】図１３は、図８の線１３−１３に沿って取られた断面図である。
【図１４】図１４は、図８の線１４−１４に沿って取られた断面図である。
【図１５】図１５は、釣り糸を収容するための内部チャネルを有する本発明の釣竿ティップの第２変形例の斜視図である。
【図１６】図１６は、図１５の線１６−１６に沿って取られた断面図である。
【図１７】図１７は、図１５の線１７−１７に沿って取られた断面図である。
【図１８】図１８は、チャネルの開口部を示すために図１５の線１８−１８に沿って取られた断面図である。
【図１９】図１９は、図１５の線１９−１９に沿って取られた断面図である。
【図２０】図２０は、図１５の線２０−２０に沿って取られた断面図である。
【図２１】図２１は、図１５の線２１−２１に沿って取られた断面図である。
【図２２】図２２は、釣竿の先端に取り付けられる螺刻されたベース部材及びティップの交換を容易にするべくベース部材のネジ山上に取り外し可能に螺刻されたティップ内の内側ネジ山を示す、本発明の釣竿ティップの第３変形例の分解組立図である。
【図２３】図２３は、交換可能なローラーティップを示す。
【図１】
2004154124.tif 000003
【図２】
2004154124.tif 000004
【図３】
2004154124.tif 000005
【図４】
2004154124.tif 000006
【図５】
2004154124.tif 000007
【図６】
2004154124.tif 000008
【図７】
2004154124.tif 000009
【図８】
2004154124.tif 000010
【図９】
2004154124.tif 000011
【図１０】
2004154124.tif 000012
【図１１】
2004154124.tif 000013
【図１２】
2004154124.tif 000014
【図１３】
2004154124.tif 000015
【図１４】
2004154124.tif 000016
【図１５】
2004154124.tif 000017
【図１６】
2004154124.tif 000018
【図１７】
2004154124.tif 000019
【図１８】
2004154124.tif 000020
【図１９】
2004154124.tif 000021
【図２０】
2004154124.tif 000022
【図２１】
2004154124.tif 000023
【図２２】
2004154124.tif 000024
【図２３】
2004154124.tif 000025
【外国語明細書】
2004154124.tif 000026
2004154124.tif 000027
2004154124.tif 000028
2004154124.tif 000029
2004154124.tif 000030
2004154124.tif 000031
2004154124.tif 000032
2004154124.tif 000033
2004154124.tif 000034
2004154124.tif 000035
2004154124.tif 000036
2004154124.tif 000037
2004154124.tif 000038
2004154124.tif 000039
2004154124.tif 000040
2004154124.tif 000041
2004154124.tif 000042
2004154124.tif 000043
2004154124.tif 000044
2004154124.tif 000045
2004154124.tif 000046
2004154124.tif 000047
2004154124.tif 000048
2004154124.tif 000049
2004154124.tif 000050
2004154124.tif 000051
2004154124.tif 000052
2004154124.tif 000053
2004154124.tif 000054
2004154124.tif 000055
2004154124.tif 000056
2004154124.tif 000057
2004154124.tif 000058
2004154124.tif 000059
2004154124.tif 000060
2004154124.tif 000061
2004154124.tif 000062
2004154124.tif 000063
2004154124.tif 000064
2004154124.tif 000065
2004154124.tif 000066
2004154124.tif 000067
2004154124.tif 000068
2004154124.tif 000069
2004154124.tif 000070
2004154124.tif 000071
2004154124.tif 000072
2004154124.tif 000073
2004154124.tif 000074
2004154124.tif 000075
2004154124.tif 000076
2004154124.tif 000077
2004154124.tif 000078
2004154124.tif 000079
2004154124.tif 000080
2004154124.tif 000081
2004154124.tif 000082
2004154124.tif 000083
2004154124.tif 000084
2004154124.tif 000085
2004154124.tif 000086
2004154124.tif 000087
2004154124.tif 000088
2004154124.tif 000089
2004154124.tif 000090
2004154124.tif 000091
2004154124.tif 000092
2004154124.tif 000093
2004154124.tif 000094
2004154124.tif 000095
2004154124.tif 000096
2004154124.tif 000097
2004154124.tif 000098
2004154124.tif 000099
2004154124.tif 000100
2004154124.tif 000101
2004154124.tif 000102
2004154124.tif 000103
2004154124.tif 000104
2004154124.tif 000105
2004154124.tif 000106
2004154124.tif 000107
2004154124.tif 000108
2004154124.tif 000109
2004154124.tif 000110
2004154124.tif 000111
2004154124.tif 000112
2004154124.tif 000113
2004154124.tif 000114
2004154124.tif 000115
2004154124.tif 000116
2004154124.tif 000117
2004154124.tif 000118
2004154124.tif 000119
2004154124.tif 000120
2004154124.tif 000121
2004154124.tif 000122
2004154124.tif 000123
2004154124.tif 000124
2004154124.tif 000125
2004154124.tif 000126
2004154124.tif 000127
2004154124.tif 000128
2004154124.tif 000129
2004154124.tif 000130
2004154124.tif 000131
2004154124.tif 000132
2004154124.tif 000133
2004154124.tif 000134
2004154124.tif 000135
2004154124.tif 000136
2004154124.tif 000137
2004154124.tif 000138
2004154124.tif 000139
2004154124.tif 000140
2004154124.tif 000141
2004154124.tif 000142
2004154124.tif 000143
2004154124.tif 000144